(57)【特許請求の範囲】
【請求項１】
ウェアラブルデバイスであって、
第１及び第２の光検出器と、
前記第１及び第２の光検出器の間に配置される別のセンサと、
前記第１及び第２の光検出器がターゲットに近接するように、前記ウェアラブルデバイスを外部体表面に装着することができるマウントと、
プロセッサと、
プログラム命令を格納する非一時的コンピュータ読み取り可能媒体と、
を備え、
前記プログラム命令は、
前記第１及び第２の光検出器からデータを受信することと、
前記データを解析して前記ターゲットが位置合わせされているか否かを判定することであって、前記第１及び第２の光検出器が前記ターゲットから実質的に等しい反射光の強度を検出したときに、前記ターゲットが前記別のセンサと位置決めされていることと、
前記ターゲットが位置合わせされていることの検出に応答して前記ターゲットの特性を検出するように前記別のセンサを動作させることと
を含む処理を行うために前記プロセッサにより実行可能である、
ウェアラブルデバイス。
【請求項２】
前記外部体表面が手首上の位置である、請求項１に記載のウェアラブルデバイス。
【請求項３】
前記ターゲットが表面下血管系の一部である、請求項１に記載のウェアラブルデバイス。
【請求項４】
アクチュエータを更に備え、前記処理が、前記ターゲットに対する前記第１及び第２の光検出器の位置を制御するように前記アクチュエータを動作させることを更に含む、請求項１に記載のウェアラブルデバイス。
【請求項５】
前記ターゲットに対して前記第１及び第２の光検出器を位置合わせするため前記ウェアラブルデバイスの調整に関する情報を示すユーザインタフェースを更に備える、請求項１に記載のウェアラブルデバイス。
【請求項６】
前記処理が、前記ウェアラブルデバイスが前記外部体表面に装着されているか否かを検出するように前記第１及び第２の光検出器のうち少なくとも１つを動作させることを更に含む、請求項１に記載のウェアラブルデバイス。
【請求項７】
前記別のセンサがエネルギ放出器を備える、請求項１に記載のウェアラブルデバイス。
【請求項８】
ウェアラブルデバイスであって、
第１及び第２の光放出器と、
少なくとも１つの光検出器と、
前記第１及び第２の光放出器及び前記少なくとも１つの光検出器がターゲットに近接するように、前記ウェアラブルデバイスを外部体表面に装着することができるマウントと、
プロセッサと、
プログラム命令を格納する非一時的コンピュータ読み取り可能媒体と、
を備え、
前記プログラム命令は、
前記第１及び第２の光放出器を動作させることと、
前記少なくとも１つの光検出器からデータを受信することと、
前記データを解析して前記ターゲットが位置合わせされているか否かを判定することであって、前記少なくとも１つの光検出器が、前記第１及び第２の光放出器から放出されて前記ターゲットから反射された光の実質的に等しい反射光の強度を検出したときに、前記ターゲットが位置決めされていることと、
を含む処理を行うために前記プロセッサにより実行可能である、
ウェアラブルデバイス。
【請求項９】
前記処理が、前記ターゲットが位置合わせされていることの検出に応答して前記ターゲットの特性を検出するように前記少なくとも１つの光検出器を動作させることを更に含む、請求項８に記載のウェアラブルデバイス。
【請求項１０】
アクチュエータを更に備え、前記処理が、前記ターゲットに対する前記第１及び第２の光放出器及び前記少なくとも１つの光検出器の位置を制御するように前記アクチュエータを動作させることを更に含む、請求項８に記載のウェアラブルデバイス。
【請求項１１】
前記ターゲットに対して前記少なくとも１つの光検出器を位置合わせするため前記ウェアラブルデバイスの調整に関する情報を示すユーザインタフェースを更に備える、請求項８に記載のウェアラブルデバイス。
【請求項１２】
前記マウントが、前記手首を取り囲むことができるバンドを備える、請求項２に記載のウェアラブルデバイス。
【請求項１３】
前記外部体表面が手首上の位置である、請求項８に記載のウェアラブルデバイス。
【請求項１４】
前記マウントが、前記手首を取り囲むことができるバンドを備える、請求項１３に記載のウェアラブルデバイス。
【請求項１５】
記ターゲットが表面下血管系の一部である、請求項８に記載のウェアラブルデバイス。
【請求項１６】
前記少なくとも１つの光検出器が、前記第１及び第２の光放出器の間に配置される、請求項８に記載のウェアラブルデバイス。
【発明の詳細な説明】
【技術分野】
【０００１】
（関連出願の相互参照）
[0001]  本出願は、２０１４年７月１１日に出願された米国特許出願第１４／３２９，３４１号に対する優先権を主張する。この出願は引用によりその全体が本願に含まれるものとする。
【背景技術】
【０００２】
[0002]  本明細書において特に指示のない限り、このセクションに記載する材料は、本出願における特許請求の範囲に対する先行技術ではなく、このセクションに含まれることによって先行技術であるとは認められない。
【０００３】
[0003]  人体の外側に配置された（例えば人体の外側体表面に押し付けて、その上に、又は他の方法で近接配置された）センサを用いて、人体の何らかの医学的な状態又は症状を検出することができる。いくつかの医学的な状態又は症状は、変化が遅いことや、まれにしか発生しないことがあり、又は他の点で長期間にわたる人体の監視が好ましいことが示される場合がある。ウェアラブルデバイスに配置されたセンサは、着用者が日常生活動作を行ったり、旅行や通勤をしたり、その他の活動に従事したりする際の中断を最小限に抑えながら、着用者の身体の医学的な状態又は症状を長期的に監視することができる。ウェアラブルデバイスによるそのような監視を予防的に行うことで、例えば他の状況では健康な着用者の健康状態を経時的に監視して、良くない医学的症状の早期検出を可能とすること、着用者の「健康な」ベースライン状態を記述するデータを作成すること、又は他の適用例を可能とする。そのようなウェアラブルデバイスによって監視された人体の医学的な状態又は症状には、脈拍数、血液酸素化（ｂｌｏｏｄ  ｏｘｙｇｅｎａｔｉｏｎ）、活動レベル、血圧、電気皮膚反応、又は着用者の身体に関する他の情報が含まれ得る。
【発明の概要】
【０００４】
[0004]  本開示のいくつかの実施形態は、（ｉ）少なくとも２つの光検出器であって、この少なくとも２つの光検出器に対するターゲットの位置合わせを検出するように構成された、少なくとも２つの光検出器と、（ｉｉ）少なくとも２つの光検出器を、ターゲットに近接した外部体表面に装着するように構成されたマウントと、（ｉｉｉ）少なくとも２つの光検出器に対するターゲットの位置合わせを検出するように少なくとも２つの光検出器を動作させるように構成されたコントローラと、を含むウェアラブルデバイスを提供する。いくつかの例では、ターゲットは表面下血管系の一部を含む。いくつかの例では、外部体表面は手首位置（ｌｏｃａｔｉｏｎ）である。
【０００５】
[0005]  ウェアラブルデバイスは、ターゲットを照明するように構成された少なくとも１つの光放出器（ｌｉｇｈｔ  ｅｍｉｔｔｅｒ）を更に含むことができる。
【０００６】
[0006]  ウェアラブルデバイスは、ターゲットに対する少なくとも２つの光検出器の位置を制御するように構成されたアクチュエータを更に含むことができ、コントローラは、ターゲットに対して少なくとも２つの光検出器を位置合わせするようにアクチュエータを動作させるように構成されている。
【０００７】
[0007]  ウェアラブルデバイスは、ターゲットに対して少なくとも２つの光検出器を位置合わせするためウェアラブルデバイスの調整に関する情報を示すように構成されたユーザインタフェースを更に含むことができる。
【０００８】
[0008]  ウェアラブルデバイスは、少なくとも２つの光検出器がターゲットに対して位置合わせされている場合にターゲットの特性を検出するように構成された別のセンサを更に含むことができる。少なくとも２つの光検出器に対するターゲットの位置合わせは、ターゲットに対する別のセンサの位置合わせに関連付けることができる。コントローラは、少なくとも２つの光検出器がターゲットに対して位置合わせされていることの検出に応答してターゲットの特性を検出するように別のセンサを動作させるように更に構成することができる。
【０００９】
[0009]  本開示のいくつかの実施形態は、（ｉ）ターゲットを照明するように構成された少なくとも２つの光放出器と、（ｉｉ）少なくとも１つの光検出器であって、少なくとも２つの光放出器による照明に応答してターゲットから放出される光を検出することにより、少なくとも１つの光検出器に対するターゲットの位置合わせを検出するように構成された、少なくとも１つの光検出器と、（ｉｉｉ）少なくとも２つの光放出器及び少なくとも１つの光検出器を、ターゲットに近接した外部体表面に装着するように構成されたマウントと、（ｉｖ）少なくとも１つの光検出器に対するターゲットの位置合わせを検出するように少なくとも２つの光放出器及び少なくとも１つの光検出器を動作させるように構成されたコントローラと、を含むウェアラブルデバイスを提供する。いくつかの例では、ターゲットは表面下血管系の一部を含む。いくつかの例では、外部体表面は手首位置である。いくつかの例では、少なくとも２つの光放出器は線形アレイとして配置されている。
【００１０】
[0010]  いくつかの例では、ウェアラブルデバイスの少なくとも１つの光検出器は、この少なくとも１つの光検出器がターゲットに対して位置合わせされている場合にターゲットの特性を検出するように構成されている。コントローラは、少なくとも１つの光検出器がターゲットに対して位置合わせされていることの検出に応答してターゲットの特性を検出するように少なくとも１つの光検出器を動作させるように更に構成されている。
【００１１】
[0011]  ウェアラブルデバイスは、ターゲットに対する少なくとも２つの光放出器及び少なくとも１つの光検出器の位置を制御するように構成されたアクチュエータを更に含むことができ、コントローラは、ターゲットに対して少なくとも１つの光検出器を位置合わせするようにアクチュエータを動作させるように構成されている。
【００１２】
[0012]  ウェアラブルデバイスは、ターゲットに対して少なくとも１つの光検出器を位置合わせするためウェアラブルデバイスの調整に関する情報を示すように構成されたユーザインタフェースを更に含むことができる。
【００１３】
[0013]  本開示のいくつかの実施形態は、ウェアラブルデバイスを外部体表面に装着することを含む方法を提供する。ウェアラブルデバイスは、（ｉ）少なくとも１つの光放出器と、（ｉｉ）少なくとも１つの光検出器と、（ｉｉｉ）少なくとも１つの光放出器及び少なくとも１つの光検出器を、ターゲットに近接した外部体表面に装着するように構成されたマウントと、（ｉｖ）少なくとも１つの光放出器及び少なくとも１つ２つの光検出器を動作させるように構成されたコントローラと、を含む。この方法は、コントローラによって、ターゲットに対する少なくとも１つの光放出器及び少なくとも１つの光検出器の位置合わせを検出することを含む。いくつかの例では、ターゲットは表面下血管系の一部を含む。いくつかの例では、外部体表面は手首位置である。
【００１４】
[0014]  この方法は、少なくとも１つの光放出器によって、外部体表面を介してターゲットに向けて光を放出することと、少なくとも１つの光検出器によって、少なくとも１つの光放出器によって放出された光に応答して外部体表面を介してターゲットから放出される光を検出することと、を更に含むことができる。この放出及び検出は、ターゲットに対する少なくとも１つの光放出器及び少なくとも１つの光検出器の位置合わせを検出することに応答して実行される。さらに、この方法は、ターゲットから光を放出され、少なくとも１つの光検出器によって検出された光に基づいて、ターゲットの少なくとも１つの特性を決定することを含むことができる。
【００１５】
[0015]  この方法のいくつかの例では、少なくとも１つの光放出器は複数の光放出器を含み、ターゲットに対する少なくとも１つの光放出器及び少なくとも１つの光検出器の位置合わせを検出することは、複数の光放出器における特定の光放出器及び少なくとも１つの光検出器がターゲットに対して位置合わせされていると検出することを含む。
【００１６】
[0016]  この方法のいくつかの例では、少なくとも１つの光検出器は複数の光検出器を含み、ターゲットに対する少なくとも１つの光放出器及び少なくとも１つの光検出器の位置合わせを検出することは、複数の光検出器における特定の光検出器及び少なくとも１つの光放出器がターゲットに対して位置合わせされていると検出することを含む。
【００１７】
[0017]  この方法のいくつかの例では、ウェアラブルデバイスはユーザインタフェースを更に含む。そのような例では、この方法は、ユーザインタフェースを用いて、ターゲットに対して少なくとも１つの光放出器及び少なくとも１つの光検出器を位置合わせするためウェアラブルデバイスの調整に関する情報を示すことを更に含むことができる。
【００１８】
[0018]  添付図面を適宜参照しながら以下の詳細な説明を読むことにより、当業者には、これら及び他の態様、利点、及び代替が明らかとなろう。
【図面の簡単な説明】
【００１９】
【図１Ａ】[0019]  人の手首上にある例示的なウェアラブルデバイスの断面図である。
【図１Ｂ】[0020]  人の手首上にある例示的なウェアラブルデバイスの断面図であり、例示的なウェアラブルデバイスの２つのセンサが手首内のターゲットと位置合わせされている。
【図１Ｃ】[0021]  人の手首上にある例示的なウェアラブルデバイスの断面図であり、例示的なウェアラブルデバイスの特定のセンサが手首内のターゲットと位置合わせされている。
【図１Ｄ】[0022]  人の手首上にある例示的なウェアラブルデバイスの断面図であり、例示的なウェアラブルデバイスの特定のセンサが手首内のターゲットと位置合わせされている。
【図１Ｅ】[0023]  人の手首上にある例示的なウェアラブルデバイスの部分側断面図である。
【図１Ｆ】[0024]  人の手首上にある例示的なウェアラブルデバイスの断面図であり、例示的なウェアラブルデバイスの特定のセンサが手首内のターゲットと位置合わせされている。
【図１Ｇ】[0025]  人の手首上にある例示的なウェアラブルデバイスの断面図であり、例示的なウェアラブルデバイスのセンサが手首内のターゲットと位置合わせされている。
【図１Ｈ】[0026]  人の手首上にある例示的なウェアラブルデバイスの断面図であり、例示的なウェアラブルデバイスのセンサが手首内のターゲットと位置合わせされている。
【図２Ａ】[0027]  人の手首上にある例示的なウェアラブルデバイスの断面図である。
【図２Ｂ】[0028]  人の手首上にある図２Ａに示す例示的なウェアラブルデバイスの断面図であり、例示的なウェアラブルデバイスの２つのセンサが手首内のターゲットと位置合わせされている。
【図３Ａ】[0029]  人の手首上にある例示的なウェアラブルデバイスの部分側断面図である。
【図３Ｂ】[0030]  図３Ａに示す例示的なウェアラブルデバイスの上面図である。
【図３Ｃ】[0031]  人の手首上にある図３Ａに示す例示的なウェアラブルデバイスの断面図であり、例示的なウェアラブルデバイスの特定のセンサが手首内のターゲットと位置合わせされている。
【図３Ｄ】[0032]  図３Ｃに示す例示的なウェアラブルデバイスの上面図である。
【図４】[0033]  例示的なウェアラブルデバイスの斜視図である。
【図５Ａ】[0034]  着用者の手首に装着された場合の、例示的な手首装着デバイスの上面斜視図である。
【図５Ｂ】[0035]  着用者の手首に装着された場合の、図５Ａに示す例示的な手首装着デバイスの底面斜視図である。
【図６】[0036]  サーバと通信している複数のウェアラブルデバイスを含む例示的なシステムのブロック図である。
【図７】[0037]  例示的なデバイスの機能ブロック図である。
【図８】[0038]  例示的な方法のフローチャートである。
【発明を実施するための形態】
【００２０】
[0039]  以下の詳細な説明において、その一部を形成する添付図面を参照する。図面では、文脈上他の意味が示される場合を除いて、同様の符号は通常、同様のコンポーネントを識別する。詳細な説明、図面、及び特許請求の範囲に記載される例示的な実施形態は、限定を意図したものではない。本明細書に提示する主題の範囲から逸脱することなく、他の実施形態を利用可能であり、他の変更を実施可能である。本明細書に一般的に記載され、図面に示されるような本開示の態様は、多種多様な異なる構成において配置、置換、結合、分離、及び設計することができ、それらが全て本明細書で明示的に想定されていることは容易に理解されよう。
【００２１】
[0040]  更に、本明細書に開示する実施形態は、生きている人の身体上で又はそれに関連付けて使用することに言及するが、開示する方法、システム、及びデバイスは、ターゲットの相対的な位置決めを特定するために２つ以上のセンサの動作が望ましい任意の環境で使用され得ることが想定される。この環境は、任意の生きているか又は生きていない身体又はその一部、ゲル、エマルジョン、流体導管、流体貯留槽等としてもよい。例えば、製造されたデバイス又は産業環境又はワークピース内のターゲット（例えば流体導管、パイプ、又はチューブ）を検知するために本明細書に開示する実施形態を用いてもよいことは、当業者には認められよう。
【００２２】
Ｉ．概要
[0041]  ウェアラブルデバイスは、様々な異なる機能及び／又は適用例を実施するように構成することができる。いくつかの例では、ウェアラブルデバイスは着用者の１つ以上の生理学的パラメータを測定するように構成されている。着用者の１つ以上の生理学的パラメータの測定は、着用者の身体内の特定のターゲットとの相互作用（例えば、そのターゲットからの光の受信、照明、その特性の検出）を含み得る。例えば、着用者の血流中の被検物質（ａｎａｌｙｔｅ）の濃度を検出することは、着用者の皮下の表面下血管系（ｓｕｂｓｕｒｆａｃｅ  ｖａｓｃｕｌａｔｕｒｅ）の一部（例えば静脈又は動脈）を照明し、そこから受けた光を検出することを含み得る。ウェアラブルデバイスの他の機能又は適用例（例えば、着用者に対する触覚（ｈａｐｔｉｃ  ｓｅｎｓａｔｉｏｎ）の伝達、着用者の血液中の１つ以上の被検物質を変化させるエネルギの放出）を、着用者の身体内の特定のターゲットに関連付けることも可能である。ウェアラブルデバイスのセンサ又は他のコンポーネントは、ウェアラブルデバイスの要素に対するそのような特定ターゲットの位置を検出する（すなわち、ウェアラブルデバイスの要素に対するターゲットの位置合わせを検出する）ように構成することができる。
【００２３】
[0042]  特定のターゲットは、着用者の身体の様々な要素を含み得る。ターゲットは、表面下血管系の一部（例えば静脈又は動脈）、神経、筋肉、骨、又は着用者の解剖学的組織の他の何らかの要素とすることができる。いくつかの例では、ターゲットは埋め込まれたデバイス又は物体であり得る。例えば、ターゲットは埋め込まれたポリマーチップであり、ポリマーチップの環境内の被検物質（例えばグルコース）の濃度に関連して色が変化するように構成することができる。ウェアラブルデバイスに対するターゲットの位置特定は、着用者の身体の隣接領域とは異なるターゲットの特性を検出することを含み得る。例えば、ターゲットは静脈であり、ウェアラブルデバイスは、外部体表面から受けた光の色を検出して、外部体表面の下の静脈の位置を特定することができる。検出されるターゲットの特性には、色、蛍光強度、蛍光吸収スペクトル、蛍光発光スペクトル、反射光、放出光、又は散乱光の偏光の程度及び／又は向き、光吸収スペクトル、音響吸収スペクトル、音響反射率、放射線不透過性、ＲＦ吸収スペクトル、又は他の特性、及び／又はターゲットの特徴（ｆｅａｔｕｒｅｓ）が含まれ得る。
【００２４】
[0043]  ウェアラブルデバイスに対するターゲットの位置及び／又は位置合わせは、ターゲットの１つ以上の特性を検出するように構成された１つ以上のセンサを用いて検出できる。例えばウェアラブルデバイスは、着用者の手首に装着するように構成することができ、着用者の手首の静脈に対するウェアラブルデバイスの位置合わせを検出するように構成された２つの色センサを含むことができる。これらの色センサは、静脈の方向に垂直な方向で、静脈の幅に関連した距離だけ分離させればよい。これにより、色センサの出力がほぼ等しい（すなわち２つのセンサの双方から静脈が等距離である）ことを検出することで、色センサ間での静脈の位置合わせを検出できる。いくつかの例では、ウェアラブルデバイスに対するターゲットの位置合わせを検出するために複数のセンサを設けてもよい。複数のセンサの各センサは、単一のタイプのセンサ又は複数のセンサタイプを含み得る。複数のセンサは、温度センサ、エネルギセンサ、電磁センサ、光センサ、化学センサ、音響センサ、赤外線センサ、紫外線センサ、又は他のタイプのセンサを含み得る。例えば複数のセンサは、光検出器（ｐｈｏｔｏｄｅｔｅｃｔｏｒ）（例えばライト検出器（ｌｉｇｈｔ  ｄｅｔｅｃｔｏｒ）、色検出器、極性検出器、赤外線検出器、紫外線検出器、カメラ）を含み得る。いくつかの例では、複数のセンサのうち１つ以上は、センサの環境を照明すること、加熱すること、又は他の方法でエネルギを導入することで、センサの環境の何らかの特性を検出できるように構成されたエネルギ放出器（例えば光放出器、加熱器、音響変換器）を含み得る。
【００２５】
[0044]  これに加えて又はこの代わりに、ウェアラブルデバイスに対するターゲットの位置及び／又は位置合わせは、ターゲットを照明するため光を放出するように構成された１つ以上の光放出器と、照明に応答してターゲットから放出された光を検出するように構成された少なくとも１つの光検出器と、を用いて検出できる。例えばウェアラブルデバイスは、着用者の手首に装着するように構成することができ、着用者の手首の各領域（例えば各光放出器に近接した領域）内に光を放出するように構成された２つ以上の光放出器を含むことができる。更に、光放出器によって放出される光は、ターゲットの環境内の他の要素（例えば皮膚、結合組織）に比べ、ターゲットによって（例えば表面下血管系の一部内の血液によって、表面下血管系の一部の壁によって）優先的に反射されるか、屈折されるか、又は他の方法で散乱される。光放出器は、ある期間にわたって各光量（例えば、異なる時間期間に個々の光放出器間で及び／又は光放出器のグループ間で交互になる照明パルス）を放出するように動作させて、各光放出器が光を放出している時間期間に対応した各時間期間中に光検出器が受信する光レベルに基づいてターゲットと個々の光放出器との近接を検知することにより、光放出器及び光検出器に対するターゲットの位置合わせを検出可能とする。
【００２６】
[0045]  ウェアラブルデバイスは、ウェアラブルデバイスの用途に応じて配置することができる複数のセンサ及び／又は光放出器を含み得る。例えば、センサ及び／又は光放出器を線形アレイに配置できる。線形アレイのセンサ及び／又は光放出器は、ウェアラブルデバイスが着用者の手首又は他の突出した解剖学的組織の周囲に装着されるように構成された用途において、特に有用となり得る。そのようなウェアラブルデバイスとターゲット（例えば静脈、神経、骨、又は、突出した解剖学的組織の方向と概ね平行に配置された他の解剖学的要素）との位置合わせは、突出した解剖学的組織を中心としたウェアラブルデバイスの回転（例えば、突出した解剖学的組織の中央部に対してウェアラブルデバイスの要素と突出した解剖学的組織内のターゲットとの間で測定される角度）に関連付けて、突出した解剖学的組織の外面に沿って突出した解剖学的組織の方向に対して垂直に配置された線形アレイのセンサ及び／又は光放出器を用いて、ウェアラブルデバイスとターゲットとの位置合わせ（例えばそれらの間の角度）を測定できるようになっている。様々な用途に応じて様々なターゲットの位置及び／又は位置合わせの検出を可能とするため、他の１次元及び２次元のパターン（例えば矩形及び六角格子）のセンサ及び／又は光放出器も想定される。
【００２７】
[0046]  いくつかの例では、ウェアラブルデバイスは、他の何らかの位置合わせ特徴部（ｆｅａｔｕｒｅ）の位置（及び／又は位置合わせ特徴部に対する位置合わせ）を検出することによって、ターゲットに対する位置合わせを検出できる。いくつかの例では、位置合わせ特徴部はターゲットに対して既知の及び／又は規定の位置又は向きを有するので、位置合わせ特徴部の位置の検出を用いてターゲットの位置を決定できるようになっている。例えば、位置合わせ特徴部は、着用者の手首のターゲット動脈に対して既知の空間関係を有する手首の腱とすればよい。ウェアラブルデバイスに対する位置合わせ特徴部の位置合わせ及び／又は位置は、ある意味では、ウェアラブルデバイスに対するターゲットの位置特定に比べ、ウェアラブルデバイスによる検出が容易であり、及び／又はより迅速、精密、及び／又は正確に検出され得る。このため、位置合わせ特徴部の位置の決定は、ターゲットの位置及び／又は位置合わせの直接的な決定に比べ、より迅速、精密、正確、又は他の何らかの点で優れたターゲットの位置及び／又は位置合わせの決定を可能とする。いくつかの例では、位置合わせ特徴部は、ターゲットに対する既知の位置及び／又は向きを有する人工的な特徴（例えばタトゥー、一時的なタトゥー、ピアス、皮膚に付着させたラベル、埋め込まれたマーカ、又は他のデバイス）とすればよい。例えば、ターゲット（例えば神経）の上方の外側体表面に蛍光染料を含むタトゥーを施してもよい。ターゲットは、用途に応じて、単に既知の特性（例えば既知のベースライン、既知の神経分布パターン等）を有する着用者の組織の領域であり得ることに留意すべきである。そのようなターゲットの位置を位置合わせ特徴部に基づいて検出することができる。
【００２８】
[0047]  いくつかの例では、ウェアラブルデバイスに対するターゲットの位置合わせの検出によって、ターゲット及び／又は着用者の身体の１つ以上の特性を検出することが可能となる。例えば、ウェアラブルデバイスのセンサは、着用者の血管系の一部と位置合わせされた場合に血液中の被検物質の濃度を検出するように構成することができる。ウェアラブルデバイスとの（すなわちセンサとの）血管系の一部の位置合わせの検出を用いて、血管系の一部の血液中の被検物質の濃度を検出するようにセンサを動作させることができる。これに加えて又はこの代わりに、ターゲットの位置合わせを検出するため使用されるセンサは、更にターゲット及び／又は着用者の身体の１つ以上の特性を検出するように構成することができる。そのようなセンサが２つ以上存在すると、ウェアラブルデバイスとターゲットとの相対的位置合わせの多様性を広げて、１つ以上の特性を検出することが可能となる。いくつかの例では、ウェアラブルデバイスに対するターゲットの位置合わせの検出によって、ウェアラブルデバイスは着用者の身体の何らかの要素を変更させること（ｍｏｄｉｆｉｃａｔｉｏｎ）ができる。例えば、ウェアラブルデバイスのエネルギ放出器（例えば光源、ＲＦ放出器、音響変換器）は、着用者の血管系の一部と位置合わせされた場合、血液中の被検物質を変更（例えば加熱、変性、破壊、状態の変化）させるように構成することができる。ウェアラブルデバイスと（すなわちエネルギ放出器と）血管系の一部との位置合わせの検出は、血管系の一部の血液中の被検物質を変更させるようにエネルギ放出器を動作させるため用いることができる。ウェアラブルデバイスに対するターゲットの位置及び／又は位置合わせの検出には、他の適用例も想定される。
【００２９】
[0048]  ウェアラブルデバイスに対するターゲットの位置合わせ及び／又は位置の検出は、ターゲットとウェアラブルデバイスとの間の位置合わせを変化させるため使用することも可能である。いくつかの例では、ウェアラブルデバイスは、検出された位置合わせのレベル、方向、角度、又は他の何らかの特性を（例えば音、振動、視覚的な指示を与えることで）示して、着用者がウェアラブルデバイスとターゲットとの位置合わせのためウェアラブルデバイスを調整できるように構成してもよい（例えばウェアラブルデバイスが装着された手首を中心としてウェアラブルデバイスを回転させることで）。いくつかの例では、ウェアラブルデバイスは、アクチュエータ（例えばモータ、ソレノイド）を含み、このアクチュエータは、ターゲットとウェアラブルデバイスの１つ又は複数の要素（例えばセンサ、エネルギ放出器）との位置合わせを調整するように動作させることができる。ウェアラブルデバイスの位置合わせの調整は、定期的に、又は何らかの条件（例えば、ウェアラブルデバイスとターゲットとの間の位置合わせが何らかの閾値レベル未満に低下したという判定）に応答して、指示／実施することができる。
【００３０】
[0049]  いくつかの例では、ウェアラブルデバイスは、ウェアラブルデバイスのセンサによって検知した情報、デバイスの機能に関する進捗状況もしくは他の情報、又はその他の情報の、ユーザが認識できる指示（例えば視覚、音響、及び／又は触覚による指示）を与えるように構成されたユーザインタフェースを含んでもよい。いくつかの例では、ユーザインタフェースは更に、着用者が好みに応じて指定するウェアラブルデバイスの１つ以上の設定（例えば、サンプリングレート、ユーザ情報プライバシ設定、サービスに対するアクセスのユーザ認証情報）のための手段も提供することができる。いくつかの例では、ウェアラブルデバイスは、例えばＢｌｕｅｔｏｏｔｈ、Ｚｉｇｂｅｅ、ＷｉＦｉ、及び／又は他の何らかの無線通信プロトコルを用いて外部デバイスとの間でデータを送信／受信することができる無線通信インタフェースを含んでもよい。無線通信インタフェースによって送信されるデータには、デバイスが測定した１つ以上の生理学的パラメータ、デバイスに対するターゲットの位置合わせ、血液酸素化レベル、又は着用者の血液中の被検物質の濃度を示すデータが含まれ得る。無線通信インタフェースは、これに加えて又はこの代わりに、外部システムからのデータ（例えば、血液中の被検物質を変化させるため着用者の血液中にエネルギを放出するように構成されたエネルギ放出器の動作に関連したパラメータ）を受信するように構成することも可能である。
【００３１】
ＩＩ．例示的なウェアラブルデバイス
[0050]  本明細書に記載するようなウェアラブルデバイスは、着用者の外部体表面に装着され、着用者の身体上又は身体内のターゲットとウェアラブルデバイスの１つ以上のコンポーネントとの間の位置合わせの検出を含めて、様々な適用例及び機能を可能とするように構成することができる。ウェアラブルデバイスが外部体表面に装着された場合、２つ以上のセンサ（例えば光検出器）及び／又は２つ以上の光放出器を用いて、着用者の身体上又は身体内のターゲットの位置合わせを検出することができる。位置合わせは、ターゲットが、ウェアラブルデバイスの要素（例えば少なくとも２つのセンサ、少なくとも２つの光放出器）に対して１次元以上で相対的な位置及び／又は向きを有することを含み得る。そのようなウェアラブルデバイスは、着用者に関する生理学的情報の測定、そのような測定された生理学的情報もしくは他の情報の着用者に対する指示（例えばバイブレータ、スクリーン、ピーパを用いる）、又は他の機能を含めて、様々な適用例を可能とする。ウェアラブルデバイスは、少なくとも２つのセンサを用いて検出されたターゲット位置合わせを基準として動作させることができる。
【００３２】
[0051]  ２つ以上のセンサ及び／又は２つ以上の光放出器を用いてターゲットの位置合わせを検出することは、２つ以上のセンサ、２つ以上の光放出器、及び／又はウェアラブルデバイスの他の要素の位置、向き、及び／又は構成に対するターゲットの位置、向き、又は他の何らかの構成に関する情報を検出することを含み得る。いくつかの例では、ターゲットの位置合わせの検出は、ターゲットの位置合わせに関する連続変数を検出すること及び／又は発生させることを含み得る。例えば、２つ以上のセンサ及び／又は２つ以上の光放出器は、ターゲットの位置とウェアラブルデバイスの要素の位置との間の距離及び／又は方向を検出するように構成することができる。
【００３３】
[0052]  いくつかの例では、ターゲットの位置合わせの検出は、ターゲットの位置合わせに関するカテゴリ情報及び／又は定性的情報を決定することを含み得る。例えば、２つ以上のセンサ及び／又は２つ以上の光放出器は、ターゲットが「位置合わせされている」か否か（例えば、ウェアラブルデバイスを基準とした指定領域内での位置特定及び／又は指定領域を通過する）に関する２値変数を決定するための情報を発生させるように構成され得る。ターゲットの位置合わせは、ターゲットが、２つ以上のセンサ、２つ以上の光放出器、及び／又はウェアラブルデバイスの他の要素を基準とした指定領域内にあること及び／又は指定領域を部分的に占有することを含み得る。例えば位置合わせは、ターゲットが、２つ以上のセンサ及び／又は２つ以上の光放出器のうち一方の直下にある領域、２つのセンサもしくは２つの光放出器の中間の領域、又はその他の１つもしくは複数の指定領域を占有すること及び／又は通過することを含み得る。ターゲットの位置合わせは、ターゲットが、２つ以上の指定領域のうち１つの内部にあること及び／又はそれを部分的に占有することを含み得る。例えば位置合わせは、ターゲットが、２つ以上のセンサ及び／又は２つ以上の光放出器のアレイの中のいずれか特定のセンサ及び／又は光放出器の直下にある領域を占有すること及び／又は通過することを含み得る。
【００３４】
[0053]  図１Ａは、人の手首１０５ａの部分断面図であり、人の手首１０５ａに装着された場合の例示的なウェアラブルデバイス１００ａを示す。ウェアラブルデバイス１００ａは、電子コンポーネントを収容すると共にマウント１２０ａによって着用者の外部体表面に装着されるように構成された筐体１１０ａ（例えば耐水性及び／又は防水性の筐体）を含む。マウント１２０ａは、手首１０５ａを取り囲むと共に、手首１０５ａ内のターゲット１０７ａ（すなわち表面下血管系の一部）に近接して第１のセンサ１３０ｂ及び第２のセンサ１４０ａを筐体１１０ａ内に位置決めするように構成されたバンドとすることができる。ウェアラブルデバイス１００ａは、図示しない追加の要素も含む。追加の要素は例えば、第１のセンサ１３０ａ及び第２のセンサ１４０ａを動作させると共にウェアラブルデバイス１００ａのアプリケーション及び／又は機能を可能とするように構成された電子機器、ウェアラブルデバイス１００ａに電力を供給するように構成された充電式バッテリ、又は他のコンポーネントである。ウェアラブルデバイス１００ａのコンポーネントは、筐体１１０ａ、マウント１２０ａ、又はウェアラブルデバイス１００ａの他の何らかの要素（図示せず）、例えば第２の筐体の上又は内部に配置され得る。
【００３５】
[0054]  筐体１１０ａは、耐水性及び／又は防水性であるように構成することができる。すなわち筐体１１０ａは、密封材、接着剤、ガスケット、溶接部、プレス嵌めシーム、及び／又は他の接合部を含むことで、筐体１１０ａが水に露出された場合に筐体１１０ａの１つ又は複数の内部体積に侵入してくる水に侵されない（ｒｅｓｉｓｔａｎｔ）ように構成できる。筐体１１０ａは更に、防水性とすること、すなわち筐体１１０ａを浸水させた場合に筐体１１０ａの１つ又は複数の内部体積に侵入してくる水に侵されないようにすることも可能である。例えば筐体１１０ａは、１メートルの深さまで防水性とすること、すなわち筐体１１０ａを１メートルの深さまで浸水させた場合に筐体１１０ａの１つ又は複数の内部体積に侵入してくる水に侵されないように構成することができる。更に、筐体１１０ａと、筐体１１０ａから突出しているか、その表面に埋め込まれているか、又は他の方法で筐体１１０ａの材料に割り込むウェアラブルデバイス１００ａの他の要素（例えばセンサの要素、ボタン、ユーザインタフェース要素、電気接点、センサ１３０ａ、１４０ａ）との間の界面は、筐体１１０ａとウェアラブルデバイス１００ａの他の要素との組み合わせが耐水性及び／又は防水性となるように構成することができる。
【００３６】
[0055]  センサ１３０ａ、１４０ａは、１つ以上の光検出器（例えば光センサ、ＩＲセンサ、ＵＶセンサ）、電界センサ、磁界センサ、電磁エネルギセンサ、温度センサ、電流センサ、電位センサ、音響センサ、力変換器、又は他の何らかのセンサ、又はセンサの組み合わせ（複数の組み合わせ）を含み得る。センサ１３０ａ、１４０ａは、１つ以上の光放出器、ＩＲ放出器、電磁エネルギ放出器、加熱器、バイブレータ、音響エネルギ放出器、力変換器、又は他の何らかのエネルギ放出器を含み得る。センサ１３０ａ、１４０ａの一方又は双方は、着用者の外部体表面と直接接触して動作するように構成することができる（例えば、着用者の身体の１つ以上の特性の検出を容易にするため、着用者の皮膚と物理的に接触した熱伝導プローブ又は電気伝導プローブ又は他の要素を含むように構成される）。これに加えて又はこの代わりに、センサ１３０ａ、１４０ａの一方又は双方は、ターゲット１０７ａ又は着用者の身体の他の何らかの１つもしくは複数の要素に関する情報を、間接的に（すなわち着用者の外部体表面と直接接触することなく）検出するように構成することができる（例えば、着用者の身体の要素によって放出、反射、散乱、及び／又は発生されてセンサ１３０ａ、１４０ａによって受信された電磁、光、音響、又は他の場及び／又はエネルギを検出する）。
【００３７】
[0056]  センサ１３０ａ、１４０ａは、着用者の身体の特定の要素又は構成要素（例えばターゲット１０７ａ）の１つ以上の特性と相互作用すること及び／又は１つ以上の特性を検出することができる。いくつかの例では、センサ１３０ａ、１４０ａの一方又は双方は、着用者の身体の要素（例えばターゲット１０７ａ）を照明するか又は他の何らかの方法で要素の方へエネルギを誘導するように作用することができ、更に、要素の照明及び／又は要素の方へのエネルギの誘導に応答して、要素によって放出、反射、散乱された、又は他の方法で要素から受信された光又は他のエネルギを検出することができる。例えば、センサ１３０ａ、１４０ａの一方又は双方は、フルオロフォア、発色団、又は他の光化学物質（ｏｐｔｉｃ  ｃｈｅｍｉｃａｌ）、部分、被検物質、又は着用者の身体の他の要素を照明するように、かつ、この照明に応答して着用者の身体の要素から放出、散乱、反射、又は他の方法で受信された光を検出するように構成することができる。照明及び／又は検出光の１つ以上の特性を用いて、着用者の身体の１つ以上の特性を決定することができる。例えば、センサが受信した光の色を用いて、この受信した光の色をターゲット１０７ａ（表面下血管系の一部）の予想される色（例えば静脈の青い色）と比較することにより、ターゲット１０７ａが規定の方向（すなわちセンサの光感度の方向）にあるか否かを判定することができる。別の例では、センサは、音響エネルギパルスを放出すると共に、ターゲット１０７ａによって反射された音響エネルギの時間遅延を検出するように構成することができる。検出された時間遅延を、センサとターゲット１０７ａとの間の距離に関連付けることができる。
【００３８】
[0057]  いくつかの例では、着用者の身体（例えばターゲット１０７ａ、すなわち表面下血管系）は、ウェアラブルデバイス１００ａのセンサ（例えば１３０ａ、１４０ａ）を用いてターゲット１０７ａの位置合わせ及び／又は着用者の身体の１つ以上の特性の検出を可能とするように官能化されるか又は他の方法で構成された人工的な造影剤又は他の造影剤（例えばフルオロフォア、蛍光ナノダイヤモンド、発色団、音響粒子、磁性粒子）を含むことができる。例えば、フルオロフォアを含む造影剤は、着用者の血液中の対象被検物質に選択的に結合するように構成することができ、センサ（例えば１３０ａ、１４０ａ）は、血液中の造影剤の存在、位置、結合状態、又は他の特性を決定するように動作することができる。造影剤の決定された１つ以上の特性を用いて、ウェアラブルデバイス１００ａのセンサ及び／又は他のコンポーネント（複数のコンポーネント）に対するターゲット１０７ａの位置合わせを決定することができる。他の造影剤、着用者の身体の特性、並びにウェアラブルデバイス１００ａの構成及び動作方法も想定される。
【００３９】
[0058]  図１Ａに示すように、ターゲット１０７ａは、筐体１１０ａの下方で、第１のセンサ１３０ａと第２のセンサ１４０ａとの間の位置に配置される。いくつかの実施形態では、第１のセンサ１３０ａ及び第２のセンサ１４０ａは、センサ１３０ａ、１４０ａ、筐体１１０ａ、又はウェアラブルデバイス１００ａの他の何らかの要素（複数の要素）に対してターゲット１０７ａの位置を決定するように構成することができる。すなわち、ターゲット１０７ａの位置合わせの検出は、ターゲット１０７ａの位置、向き、又はその配置に関する他の何らかの情報を検出するように、センサ１３０ａ、１４０ａを動作させることを含み得る。いくつかの実施形態では、センサ１３０ａ、１４０ａ、筐体１１０ａ、及び／又はウェアラブルデバイス１００ａの他のコンポーネントに対するターゲット１０７ａの図示する位置は、ターゲット１０７ａをウェアラブルデバイス１００ａの要素（複数の要素）に対して位置合わせするように規定された１つ以上の位置のうち１つとすることができる。従って、センサ１３０ａ、１４０ａは、ターゲット１０７ａに関する位置、向き、又は他の何らかの情報を検出するため上述のように動作させることができ、そのような検出情報に基づいて、ターゲット１０７ａが位置合わせされているという判定を行うことができる。これに加えて又はこの代わりに、センサ１３０ａ、１４０ａは、ターゲット１０７ａの位置合わせに関する何らかのカテゴリ情報及び／又は定性的情報を検出するように構成することができる。例えばセンサ１３０ａ、１４０ａは、ターゲット１０７ａの位置合わせが離散的状態セットのうち１つに対応すること、例えば「位置合わせされている」、「ほぼ位置合わせされている」、「位置合わせされていない」、「第１のセンサ１３０ａの方向に位置合わせされていない」、「第２のセンサ１４０ａの方向に位置合わせされていない」等に対応することを検出するように構成され得る。すなわち、いくつかの例では、ウェアラブルデバイス１００ａのコンポーネント（複数のコンポーネント）に対するターゲット１０７ａの配置は、位置合わせされていない場合がある。
【００４０】
[0059]  図１Ｂは、人の手首１０５ｂの部分断面図であり、人の手首１０５ｂに装着された場合の例示的なウェアラブルデバイス１００ｂを示す。ウェアラブルデバイス１００ｂは、図１Ａのウェアラブルデバイス１００ａと同様に構成することができ、電子コンポーネントを収容すると共にマウント１２０ｂによって着用者の外部体表面に装着されるように構成された筐体１１０ｂ（例えば耐水性及び／又は防水性の筐体）を含む。マウント１２０ｂは、手首１０５ｂを取り囲むと共に、手首１０５ｂ内のターゲット１０７ｂ（すなわち表面下血管系の一部）に近接して第１のセンサ１４０ｂ及び第２のセンサ１４０ｂを筐体１１０ｂ内に位置決めするように構成されたバンドとすることができる。
【００４１】
[0060]  図１Ｂに示すように、ターゲット１０７ｂは、筐体１１０ｂの下方で、第１のセンサ１３０ｂと第２のセンサ１４０ｂとの間の中間の位置に配置される。いくつかの実施形態では、第１のセンサ１３０ｂ及び第２のセンサ１４０ｂは、センサ１３０ｂ、１４０ｂ、筐体１１０ｂ、又はウェアラブルデバイス１００ａの他の何らかの要素（複数の要素）に対してターゲット１０７ｂの位置を決定するように構成することができる。すなわち、ターゲット１０７ｂの位置合わせの検出は、ターゲット１０７ｂの位置、向き、又はその配置に関する他の何らかの情報を検出するように、センサ１３０ｂ、１４０ｂを動作させることを含み得る。いくつかの実施形態では、センサ１３０ｂ、１４０ｂ、筐体１１０ｂ、及び／又はウェアラブルデバイス１００ｂの他のコンポーネントに対するターゲット１０７ｂの図示する位置は、ターゲット１０７ｂをウェアラブルデバイス１００ｂの要素（複数の要素）に対して位置合わせするように規定された１つ以上の位置の１つとすることができる。従って、センサ１３０ａ、１４０ａは、ターゲット１０７ｂに関する位置、向き、又は他の何らかの情報を検出するため上述のように動作させることができ、そのような検出情報に基づいて、ターゲット１０７ｂが位置合わせされているという判定を行うことができる。これに加えて又はこの代わりに、センサ１３０ｂ、１４０ｂは、ターゲット１０７ｂの位置合わせに関する何らかのカテゴリ情報及び／又は定性的情報を検出するように構成することができる。例えばセンサ１３０ｂ、１４０ｂは、ターゲット１０７ｂの位置合わせが離散的状態セットのうち１つに対応すること、例えば「位置合わせされている」、「ほぼ位置合わせされている」、「位置合わせされていない」、「第１のセンサ１３０ｂの方向に位置合わせされていない」、「第２のセンサ１４０ｂの方向に位置合わせされていない」等に対応することを検出するように構成され得る。例えば、センサ１３０ｂ、１４０ｂは、センサ１３０ｂ、１４０ｂによって検出した特性（例えば反射光の強度、エコー信号レイテンシ）がほぼ等しいことに基づいて、ターゲット１０７ｂが位置合わせされていると判定することができる。
【００４２】
[0061]  図１Ｃは、人の手首１０５ｃの部分断面図であり、人の手首１０５ｃに装着された場合の例示的なウェアラブルデバイス１００ｃを示す。ウェアラブルデバイス１００ｃは、図１Ａ及び図１Ｂのウェアラブルデバイス１００ａ、１００ｂと同様に構成することができ、電子コンポーネントを収容すると共にマウント１２０ｃによって着用者の外部体表面に装着されるように構成された筐体１１０ｃ（例えば耐水性及び／又は防水性の筐体）を含む。マウント１２０ｃは、手首１０５ｃを取り囲むと共に、手首１０５ｃ内のターゲット１０７ｃ（すなわち表面下血管系の一部）に近接して第１のセンサ１４０ｃ及び第２のセンサ１４０ｃを筐体１１０ｃ内に位置決めするように構成されたバンドとすることができる。
【００４３】
[0062]  図１Ｃに示すように、ターゲット１０７ｃは、筐体１１０ｃの下方で、第２のセンサ１４０ｃの下方の位置に配置される。いくつかの実施形態では、第１のセンサ１３０ｃ及び第２のセンサ１４０ｃは、センサ１３０ｃ、１４０ｃ、筐体１１０ｃ、又はウェアラブルデバイス１００ｃの他の何らかの要素（複数の要素）に対してターゲット１０７ｃの位置を決定するように構成することができる。すなわち、ターゲット１０７ｃの位置合わせの検出は、ターゲット１０７ｃの位置、向き、又はその配置に関する他の何らかの情報を検出するように、センサ１３０ｃ、１４０ｃを動作させることを含み得る。いくつかの実施形態では、センサ１３０ｃ、１４０ｃ、筐体１１０ｃ、及び／又はウェアラブルデバイス１００ｃの他のコンポーネントに対するターゲット１０７ｃの図示する位置は、ターゲット１０７ｃをウェアラブルデバイス１００ｃの要素（複数の要素）に対して位置合わせするように規定された１つ以上の位置の１つとすることができる。これに加えて又はこの代わりに、第１のセンサ１３０ｃの下方に配置されるターゲット１０７ｃは、１つ以上の規定された位置合わせ位置の１つとすることができる。従って、センサ１３０ｃ、１４０ｃは、ターゲット１０７ｃに関する位置、向き、又は他の何らかの情報を検出するため上述のように動作させることができ、そのような検出情報に基づいて、ターゲット１０７ｃが位置合わせされているという判定を行うことができる。これに加えて又はこの代わりに、センサ１３０ｃ、１４０ｃは、ターゲット１０７ｃの位置合わせに関する何らかのカテゴリ情報及び／又は定性的情報を検出するように構成することができる。例えばセンサ１３０ｃ、１４０ｃは、ターゲット１０７ｃの位置合わせが離散的状態セットのうち１つに対応すること、例えば「位置合わせされている」、「第１のセンサ１３０ｃと位置合わせされている」、「第２のセンサ１４０ｃと位置合わせされている」、「ほぼ位置合わせされている」、「位置合わせされていない」、「上向きの方向に位置合わせされていない」、「下向きの方向に位置合わせされていない」等に対応することを検出するように構成され得る。いくつかの例では、センサ１３０ｃ、１４０ｃは、センサ１３０ｂ、１４０ｃによって検出した特性（例えば反射光の強度、エコー信号レイテンシ）が何らかの最小値又は最大値にほぼ等しいことに基づいて、ターゲット１０７ｃが位置合わせされていると判定することができる。
【００４４】
[0063]  いくつかの例では、本明細書に記載するようなウェアラブルデバイスの１つ以上のセンサは、着用者の身体上又は身体内のターゲットの位置合わせを検出することに加えて、着用者の何らかの生理学的特性又は他の特性を検出するように構成することができる。例えば、図１Ｃに示すウェアラブルデバイス１００ｃの第２のセンサ１４０ｃは、ターゲット１０７ｃと位置合わせされている（例えばターゲット１０７ｃの上に配置されている）場合、着用者及び／又はターゲット１０７ｃの生理学的特性又は他の特性を検出するように構成することができる（例えば血流量、脈拍数、血液酸素化、血液温度、血液中の被検物質の濃度）。生理学的特性を検出するための第２のセンサ１４０ｃの別の動作は、ターゲット１０７ｃが第２のセンサ１４０ｃと位置合わせされていることの判定（例えば第１のセンサ１３０ｃ及び／又は第２のセンサ１４０ｃを用いる）に応答して実行可能である。これに加えて又はこの代わりに、生理学的特性を検出するための第２のセンサ１４０ｃの動作は、検出された位置合わせ（例えば第１のセンサ１３０ｃ及び第２のセンサ１４０ｃを用いて検出される）に関連付けることができる。例えば、第２のセンサ１４０ｃによって発生した測定値に基づき、検出した生理学的特性の値を決定するために実行されるマッピング又は他の計算は、ターゲット１０７ｃの決定された及び／又は検出された位置合わせに基づくことができる。例えば、発生した測定値の振幅を、ターゲット１０７ｃの検出された位置合わせに基づいて正規化して、第２のセンサ１４０ｃが発生した測定値に対するターゲット１０７ｃと第２のセンサ１４０ｃとの間の近接の効果を補正することができる。
【００４５】
[0064]  これに加えて又はこの代わりに、ウェアラブルデバイスは、ターゲットの位置合わせを検出するように構成された２つ以上のセンサと、着用者及び／又はターゲットの生理学的特性又は他の特性（例えば血流量、脈拍数、血液酸素化、血液温度、血液中の被検物質の濃度）を検出するように構成された１つ以上の別のセンサと、を含むことも可能である。別のセンサ（複数のセンサ）は、ターゲットが別のセンサに対して規定の配置（例えば位置、向き）を有する場合（すなわち、ターゲットが別のセンサと位置合わせされている場合）、着用者及び／又はターゲットの特性を検出するように構成することができる。着用者及び／又はターゲットの特性を検出するための別のセンサの動作は、ターゲットが別のセンサと位置合わせされているという判定（例えば２つ以上のセンサを用いる）に応答して実行可能である。これに加えて又はこの代わりに、着用者及び／又はターゲットの特性を検出するための別のセンサの動作は、検出された位置合わせに関連付けることも可能である。例えば、別のセンサによって発生した測定値に基づき、検出した特性の値を決定するために実行されるマッピング又は他の計算は、ターゲットの決定された及び／又は検出された位置合わせに基づくことができる。例えば、発生した測定値の振幅を、ターゲットの検出された位置合わせに基づいて正規化して、別のセンサが発生した測定値に対するターゲットと別のセンサとの間の近接の効果を補正することができる。
【００４６】
[0065]  図１Ｄは、そのようなウェアラブルデバイス１００ｄを示す。図１Ｄは人の手首１０５ｃの部分断面図であり、人の手首１０５ｄに装着された場合の例示的なウェアラブルデバイス１００ｄを示す。ウェアラブルデバイス１００ｄは、図１Ａ、図１Ｂ、及び図１Ｃのウェアラブルデバイス１００ａ、１００ｂ、１００ｃと同様に構成することができ、電子コンポーネントを収容すると共にマウント１２０ｄによって着用者の外部体表面に装着されるように構成された筐体１１０ｄ（例えば耐水性及び／又は防水性の筐体）を含む。マウント１２０ｄは、手首１０５ｄを取り囲むと共に、手首１０５ｄ内のターゲット１０７ｄ（すなわち表面下血管系の一部）に近接して第１のセンサ１４０ｄ及び第２のセンサ１４０ｄを筐体１１０ｄ内に位置決めするように構成されたバンドとすることができる。ウェアラブルデバイス１００ｄは更に別のセンサ１５０ｄも含み、これは、ターゲット１０７ｄがウェアラブルデバイス１００ｄと位置合わせされている（すなわち別のセンサ１５０ｄと位置合わせされている）場合に着用者の（例えばターゲット１０７ｄの）１つ以上の生理学的特性を検出するように構成されている。
【００４７】
[0066]  図１Ｄに示すように、ターゲット１０７ｄは、筐体１１０ｄの下方で、別のセンサ１５０ｄの下方の位置に配置される。いくつかの実施形態では、第１のセンサ１３０ｄ及び第２のセンサ１４０ｄは、センサ１３０ｄ、１４０ｄ、筐体１１０ｄ、別のセンサ１５０ｄ、又はウェアラブルデバイス１００ｄの他の何らかの要素（複数の要素）に対してターゲット１０７ｄの位置を決定するように構成することができる。すなわち、ターゲット１０７ｄの位置合わせの検出は、ターゲット１０７ｄの位置、向き、又はその配置に関する他の何らかの情報を検出するように、センサ１３０ｄ、１４０ｄを動作させることを含み得る。別のセンサ１５０ｄも、単独で又は他のセンサ１３０ｄ、１４０ｄと連携してターゲット１０７ｄの位置合わせを検出するように構成することができる。従って、センサ１３０ｄ、１４０ｄは、ターゲット１０７ｄに関する位置、向き、又は他の何らかの情報を検出するため上述のように動作させることができ、そのような検出情報に基づいて、ターゲット１０７ｄが位置合わせされているという判定を行うことができる。これに加えて又はこの代わりに、センサ１３０ｄ、１４０ｄは、ターゲット１０７ｄの位置合わせに関する何らかのカテゴリ情報及び／又は定性的情報を検出するように構成することができる。例えばセンサ１３０ｄ、１４０ｄは、ターゲット１０７ｄの位置合わせが離散的状態セットのうち１つに対応すること、例えば「位置合わせされている」、「ほぼ位置合わせされている」、「位置合わせされていない」、「第１のセンサ１３０ｄに向かう方向に位置合わせされていない」、「第２のセンサ１４０ｄに向かう方向に位置合わせされていない」等に対応することを検出するように構成され得る。いくつかの例では、センサ１３０ｄ、１４０ｄは、センサ１３０ｄ、１４０ｄによって検出した特性（例えば反射光の強度、エコー信号レイテンシ）がほぼ等しいことに基づいて、ターゲット１０７ｄが位置合わせされていると判定することができる。
【００４８】
[0067]  別のセンサ１５０ｄは、何らかのエネルギ（例えば光、赤外線、紫外線、音響、超音波、電磁波、熱等）を放出するように構成されたエネルギ放出器を含み得ることに留意すべきである。エネルギを放出して、アクティブ検出（例えば、ターゲットを照明すること又は他の方法でエネルギに当てることで、特性に関するターゲットの変化（例えば蛍光、温度変化、エネルギの散乱）を検出可能とする）により、着用者及び／又はターゲット（例えば１０７ｄ）の何らかの特性を検出することができる。ターゲットと別のセンサ１５０ｄとの位置合わせは、ターゲットとエネルギ放出器とを位置合わせすることを含み得る。別のセンサ１５０ｄは、限定ではないが、磁石、フィルタ、偏光子、磁気シム（ｍａｇｎｅｔｉｃ  ｓｈｉｍｍｉｎｇ）及び／又は遮蔽材料、及び回折格子を含む他の要素を含み得る。
【００４９】
[0068]  これに加えて又はこの代わりに、図１Ｄに示す別のセンサ１５０ｄは、他の何らかの要素、コンポーネント、又はデバイスを含み得る。いくつかの例では、ウェアラブルデバイス１００ｄは、着用者の身体及び／又はその構成要素に何らかの変化を引き起こす（例えば、がん細胞のような着用者の健康への悪影響を有する着用者の表面下血管系の何らかの被検物質を変性、破壊、又は他の方法で変化させる）ため、何らかのエネルギ（例えば可視光、赤外光、紫外光、熱、音響パルス）を放出するように構成されたエネルギ放出器を含み得る。いくつかの例では、ウェアラブルデバイス１００ｄは、近接した表面下血管系の管腔内の磁性粒子を引き付けるように構成された高強度磁石を含むことができる。高強度磁石が発する磁界が、磁性粒子を引き付け、集め、又は他の方法で磁性粒子に磁力を加えることができるように、ウェアラブルデバイスの２つ以上のセンサは、表面下血管系（すなわちターゲット）と高強度磁石との位置合わせを検出するよう構成することができる。ウェアラブルデバイスの他の構成、動作、及び適用例、並びにそのような動作及び／又は適用例を可能とするか又は他の方法で影響を与えるためのそのようなウェアラブルデバイスのコンポーネント（複数のコンポーネント）との位置合わせも想定される。
【００５０】
[0069]  ウェアラブルデバイスは複数のセンサを含むことができ、これらのセンサは、これら及び／又はウェアラブルデバイスの他のコンポーネント（複数のコンポーネント）に対するターゲットの位置合わせの検出を可能とするように様々な方法で構成することができる。図１Ｅは、そのようなウェアラブルデバイス１００ｅを示す。図１Ｅは、人の手首１０５ｅの部分断面図であり、人の手首１０５ｅに装着された場合の例示的なウェアラブルデバイス１００ｅを示す。ウェアラブルデバイス１００ｅは、図１Ａ、図１Ｂ、及び図１Ｃのウェアラブルデバイス１００ａ、１００ｂ、１００ｃと同様に構成することができ、電子コンポーネントを収容すると共にマウント１２０ｅによって着用者の外部体表面に装着されるように構成された筐体１１０ｅ（例えば耐水性及び／又は防水性の筐体）を含む。マウント１２０ｅは、手首１０５ｅを取り囲むと共に、手首１０５ｅ内のターゲット１０７ｅ（すなわち表面下血管系の一部）に近接して複数のセンサ１３１ｅ、１３２ｅ、１３３ｅ、１３４ｅ、１３５ｅ、１３６ｅを筐体１１０ｅ内に位置決めするように構成されたバンドとすることができる。
【００５１】
[0070]  図１Ｅに示すように、ターゲット１０７ｅは、筐体１１０ｅの下方で、センサ１３１ｅ、１３２ｅ、１３３ｅ、１３４ｅ、１３５ｅ、１３６ｅに近接した位置に配置される。いくつかの実施形態では、センサ１３１ｅ、１３２ｅ、１３３ｅ、１３４ｅ、１３５ｅ、１３６ｅは、センサ１３１ｅ、１３２ｅ、１３３ｅ、１３４ｅ、１３５ｅ、１３６ｅ、筐体１１０ｅ、又はウェアラブルデバイス１００ｅの他の何らかの要素（複数の要素）に対してターゲット１０７ｅの位置を決定するように構成することができる。すなわち、ターゲット１０７ｅの位置合わせの検出は、ターゲット１０７ｅの位置、向き、又はその配置に関する他の何らかの情報を検出するように、センサ１３１ｅ、１３２ｅ、１３３ｅ、１３４ｅ、１３５ｅ、１３６ｅを動作させることを含み得る。いくつかの実施形態では、センサ１３１ｅ、１３２ｅ、１３３ｅ、１３４ｅ、１３５ｅ、１３６ｅ、筐体１１０ｅ、及び／又はウェアラブルデバイス１００ｅの他のコンポーネントに対するターゲット１０７ｅの図示する位置は、ターゲット１０７ｅをウェアラブルデバイス１００ｅの要素（複数の要素）に対して位置合わせするように規定された１つ以上の位置のうち１つとすることができる。従って、センサ１３１ｅ、１３２ｅ、１３３ｅ、１３４ｅ、１３５ｅ、１３６ｅは、ターゲット１０７ｅに関する位置、向き、又は他の何らかの情報を検出するため上述のように動作させることができ、そのような検出情報に基づいて、ターゲット１０７ｅが位置合わせされているという判定を行うことができる。これに加えて又はこの代わりに、センサ１３１ｅ、１３２ｅ、１３３ｅ、１３４ｅ、１３５ｅ、１３６ｅは、ターゲット１０７ｅの位置合わせに関する何らかのカテゴリ情報及び／又は定性的情報を検出するように構成することができる。例えば、センサ１３１ｅ、１３２ｅ、１３３ｅ、１３４ｅ、１３５ｅ、１３６ｅは、ターゲット１０７ｅの位置合わせが離散的状態セットのうち１つに対応すること、例えば「位置合わせされている」、「ほぼ位置合わせされている」、「位置合わせされていない」、「第１のセンサ１３１ｅと位置合わせされている」、「第２のセンサ１３２ｅと位置合わせされている」、「第１のセットの２つのセンサ１３１ｅ、１３２ｅ間で位置合わせされていない」、「第２の対のセンサ１３２ｅ、１３３ｅ間で位置合わせされていない」、「第３の対のセンサ１３３ｅ、１３４ｅ間で位置合わせされていない」等に対応することを検出するように構成され得る。すなわち、いくつかの例では、ウェアラブルデバイス１００ｅのコンポーネント（複数のコンポーネント）に対するターゲット１０７ｅの配置は、位置合わせされていない場合がある。
【００５２】
[0071]  図１Ｆは、人の手首１０５ｆの部分断面図であり、人の手首１０５ｆに装着された場合の例示的なウェアラブルデバイス１００ｆを示す。ウェアラブルデバイス１００ｆは、図１Ａ、図１Ｂ、図１Ｃ、図１Ｄ、及び図１Ｅのウェアラブルデバイス１００ａ、１００ｂ、１００ｃ、１００ｄ、１００ｅと同様に構成することができ、電子コンポーネントを収容すると共にマウント１２０ｆによって着用者の外部体表面に装着されるように構成された筐体１１０ｆ（例えば耐水性及び／又は防水性の筐体）を含む。マウント１２０ｆは、手首１０５ｆを取り囲むと共に、手首１０５ｆ内のターゲット１０７ｆ（すなわち表面下血管系の一部）に近接して複数のセンサ１３１ｆ、１３２ｆ、１３３ｆ、１３４ｆ、１３５ｆ、１３６ｆを筐体１１０ｆ内に位置決めするように構成されたバンドとすることができる。ウェアラブルデバイス１００ｆは更に別のセンサ１５０ｆも含み、これは、ターゲット１０７ｆがウェアラブルデバイス１００ｆと位置合わせされている（すなわち別のセンサ１５０ｆと位置合わせされている）場合に着用者の（例えばターゲット１０７ｆの）１つ以上の生理学的特性を検出するように構成されている。
【００５３】
[0072]  図１Ｆに示すように、ターゲット１０７ｆは、筐体１１０ｆの下方で、別のセンサ１５０ｄの下方の位置に配置される。いくつかの実施形態では、センサ１３１ｆ、１３２ｆ、１３３ｆ、１３４ｆ、１３５ｆ、１３６ｆは、センサ１３１ｆ、１３２ｆ、１３３ｆ、１３４ｆ、１３５ｆ、１３６ｆ、筐体１１０ｆ、別のセンサ１５０ｆ、又はウェアラブルデバイス１００ｆの他の何らかの要素（複数の要素）に対してターゲット１０７ｆの位置を決定するように構成することができる。すなわち、ターゲット１０７ｆの位置合わせの検出は、ターゲット１０７ｆの位置、向き、又はその配置に関する他の何らかの情報を検出するように、センサ１３１ｆ、１３２ｆ、１３３ｆ、１３４ｆ、１３５ｆ、１３６ｆを動作させることを含み得る。別のセンサ１５０ｆも、単独で又は他のセンサ１３１ｆ、１３２ｆ、１３３ｆ、１３４ｆ、１３５ｆ、１３６ｆと連携してターゲット１０７ｆの位置合わせを検出するように構成することができる。従って、センサ１３１ｆ、１３２ｆ、１３３ｆ、１３４ｆ、１３５ｆ、１３６ｆは、ターゲット１０７ｆに関する位置、向き、又は他の何らかの情報を検出するため上述のように動作させることができ、そのような検出情報に基づいて、ターゲット１０７ｆが位置合わせされているという判定を行うことができる。これに加えて又はこの代わりに、センサ１３１ｆ、１３２ｆ、１３３ｆ、１３４ｆ、１３５ｆ、１３６ｆは、ターゲット１０７ｆの位置合わせに関する何らかのカテゴリ情報及び／又は定性的情報を検出するように構成することができる。例えば、センサ１３１ｆ、１３２ｆ、１３３ｆ、１３４ｆ、１３５ｆ、１３６ｆは、ターゲット１０７ｆの位置合わせが離散的状態セットのうち１つに対応すること、例えば「位置合わせされている」、「ほぼ位置合わせされている」、「位置合わせされていない」、「別のセンサ１５０ｆと位置合わせされている」、「第１のセンサ１３１ｆと位置合わせされている」、「第２のセンサ１３２ｆと位置合わせされている」、「第１のセットの２つのセンサ１３１ｆ、１３２ｆ間で位置合わせされていない」、「第２の対のセンサ１３２ｆ、１３３ｆ間で位置合わせされていない」、「第３の対のセンサ１３４ｆ、１３５ｆ間で位置合わせされていない」等に対応することを検出するように構成され得る。すなわち、いくつかの例では、ウェアラブルデバイス１００ｆのコンポーネント（複数のコンポーネント）（例えば別のセンサ１５０ｆ）に対するターゲット１０７ｆの配置は、位置合わせされていない場合がある。
【００５４】
[0073]  別のセンサ１５０ｆは、何らかのエネルギ（例えば光、赤外線、紫外線、音響、超音波、電磁波、熱等）を放出するように構成されたエネルギ放出器を含み得ることに留意すべきである。エネルギを放出して、アクティブ検出（例えば、ターゲットを照明すること又は他の方法でエネルギに当てることで、特性に関するターゲットの変化（例えば蛍光、温度変化、エネルギの散乱）を検出可能とする）により、着用者及び／又はターゲット（例えば１０７ｆ）の何らかの特性を検出することができる。ターゲットと別のセンサ１５０ｆとの位置合わせは、ターゲットとエネルギ放出器とを位置合わせすることを含み得る。別のセンサ１５０ｆは、限定ではないが、磁石、フィルタ、偏光子、磁気シム及び／又は遮蔽材料、及び回折格子を含む他の要素を含み得る。
【００５５】
[0074]  これに加えて又はこの代わりに、図１Ｆに示す別のセンサ１５０ｆは、他の何らかの要素、コンポーネント、又はデバイスを含み得る。いくつかの例では、ウェアラブルデバイス１００ｆは、着用者の身体及び／又はその構成要素に何らかの変化を引き起こす（例えば、がん細胞のような着用者の健康への悪影響を有する着用者の表面下血管系の何らかの被検物質を変性、破壊、又は他の方法で変化させる）ため、何らかのエネルギ（例えば可視光、赤外光、紫外光、熱、音響パルス）を放出するように構成されたエネルギ放出器を含み得る。いくつかの例では、ウェアラブルデバイス１００ｆは、近接した表面下血管系の管腔内の磁性粒子を引き付けるように構成された高強度磁石を含むことができる。高強度磁石が発する磁界が、磁性粒子を引き付け、集め、又は他の方法で磁性粒子に磁力を加えることができるように、ウェアラブルデバイスの２つ以上のセンサは、表面下血管系（すなわちターゲット）と高強度磁石との位置合わせを検出するよう構成することができる。ウェアラブルデバイスの他の構成、動作、及び適用例、並びにそのような動作及び／又は適用例を可能とするか又は他の方法で影響を与えるためのそのようなウェアラブルデバイスのコンポーネント（複数のコンポーネント）との位置合わせも想定される。
【００５６】
[0075]  図１Ｇは、人の手首１０５ｇの部分断面図であり、人の手首１０５ｇに装着された場合の例示的なウェアラブルデバイス１００ｇを示す。ウェアラブルデバイス１００ｇは、図１Ａ、図１Ｂ、図１Ｃ、図１Ｄ、図１Ｅ、及び図１Ｆのウェアラブルデバイス１００ａ、１００ｂ、１００ｃ、１００ｄ、１００ｅ、１００ｆと同様に構成することができ、電子コンポーネントを収容すると共にマウント１２０ｇによって着用者の外部体表面に装着されるように構成された筐体１１０ｇ（例えば耐水性及び／又は防水性の筐体）を含む。マウント１２０ｇは、手首１０５ｇを取り囲むと共に、手首１０５ｇ内のターゲット１０７ｇ（すなわち表面下血管系の一部）に近接して光検出器１３０ｇ及び第１の光放出器１５１ｇ及び第２の光放出器１５２ｇを筐体１１０ｇ内に位置決めするように構成されたバンドとすることができる。
【００５７】
[0076]  光放出器１５１ｇ、１５２ｇは、様々な発光コンポーネント（例えばＬＥＤ、レーザ、エレクトロルミネッセントパネルもしくはワイヤ、ＩＲ放出器、ＵＶ放出器）、屈折要素（例えばレンズ、ダイクロイック要素）、反射要素（例えば平面鏡もしくは曲面鏡）、回折要素（例えば格子）、偏光子、半波長版もしくは４分の１波長版、フィルタ、開口、液晶要素（例えば電子的に作動させたブラインド、格子、及び／又は開口）、又は他の何らかの光学要素及び／又は光放出要素、又はそれらの組み合わせを含み得る。光放出器１５１ｇ、１５２ｇは、１つ以上の規定の特性（例えば波長、スペクトルプロファイル、偏光の程度及び／又は方向）を有する照明を放出するように構成することができる。光放出器１５１ｇ、１５２ｇが放出する光のそのような規定の特性は、光放出器１５１ｇ、１５２ｇが放出する光が、ターゲットの環境内の他の要素（例えば皮膚、結合組織）に比べ、ターゲットによって（例えば表面下血管系の一部内の血液によって）優先的に反射されるか、屈折されるか、又は他の方法で散乱されるように規定することができる。光放出器１５１ｇ、１５２ｇは、ウェアラブルデバイス１００ｇの環境の規定の領域（複数の領域）（例えば、光放出器１５１ｇ、１５２ｇの各放出器に近接した領域）を照明するように構成することができる。そのような照明される領域は、ばらばらであるか別個であり、又は全体的もしくは部分的に重複している場合がある。
【００５８】
[0077]  光検出器１３０ｇは、１つ以上の感光性要素（例えば光センサ、ＩＲセンサ、ＵＶセンサ、フォトダイオード、フォトトランジスタ、フォトレジスタ）を含み得る。これに加えて光検出器１３０ｇは、１つ以上の光放出器、ＩＲ放出器、電磁エネルギ放出器、加熱器、バイブレータ、音響エネルギ放出器、力変換器、又は他の何らかのエネルギ放出器を含み得る。光検出器１３０ｇは、光放出器１５１ｇ、１５２ｇと連携してターゲット１０７ｇの位置合わせを検出することに加えて、ターゲット１０７ｇの１つ以上の特性（例えば酸素飽和度、被検物質の存在又は濃度）を検出するように構成することができる。そのような検出は、光放出器１５１ｇ、１５２ｇによって、及び／又は光検出器１３０ｇのエネルギ放出器によるエネルギ（例えばＩＲ、ＵＶ、又は可視光、熱、電磁放射、音響エネルギ）の放出によってターゲット１０７ｇを照明することに関連付けられ得る。
【００５９】
[0078]  これに加えて又はこの代わりに、光検出器１３０ｇは、着用者の身体の特定の要素又は構成要素（例えばターゲット１０７ｇ）の１つ以上の特性と相互作用する及び／又は１つ以上の特性を検出するように構成することができる。いくつかの例では、光検出器１３０ｇ及び／又は光放出器１５２ｇ、１５２ｇは、着用者の身体の要素（例えばターゲット１０７ｇ）を照明するか又は他の何らかの方法で要素の方へエネルギを誘導するように作用することができ、更に、要素の照明及び／又は要素の方へのエネルギの誘導に応答して、要素によって放出、反射、散乱された、又は他の方法で要素から受信された光又は他のエネルギを検出することができる。例えば、光放出器１５１ｇ、１５２ｇ及び／又は光検出器１３０ｇの光放出器の一方又は双方は、フルオロフォア、発色団、又は他の光化学物質、部分、被検物質、又は着用者の身体の他の要素を照明するように構成することができ、光検出器１３０ｇは、この照明に応答して着用者の身体の要素から放出、散乱、反射、又は他の方法で受信された光を検出することができる。照明及び／又は検出光の１つ以上の特性を用いて、着用者の身体の１つ以上の特性を決定することができる。例えば、第１の光放出器１５１ｇが光を放出している際に光検出器１３０が受信する光の強度を用いて、ターゲット１０７ｇ（表面下血管系の一部）が規定の方向（第１の光放出器１５１が放出する光の方向）にあるか否かを判定することができる。
【００６０】
[0079]  図１Ｇに示すように、ターゲット１０７ｇは、筐体１１０ｇの下方で、光検出器１３０ｇの下方の位置に配置される。いくつかの実施形態では、光検出器１３０ｇ及び第１の光放出器１５１ｇ及び第２の光放出器１５２ｇは、光放出器１５１ｇ、１５１ｇ、筐体１１０ｇ、光検出器１３０ｇ、又はウェアラブルデバイス１００ｇの他の何らかの要素（複数の要素）に対してターゲット１０７ｇの位置を決定するように構成することができる。すなわち、ターゲット１０７ｇの位置合わせの検出は、ターゲット１０７ｇの位置、向き、又はその配置に関する他の何らかの情報を検出するように、光放出器１５１ｇ、１５２ｇ、及び光検出器１３０ｇを動作させることを含み得る。従って、光放出器１５１ｇ、１５２ｇ、及び光検出器１３０ｇは、ターゲット１０７ｇに関する位置、向き、又は他の何らかの情報を検出するため上述のように動作させることができ、そのような検出情報に基づいて、ターゲット１０７ｇが位置合わせされているという判定を行うことができる。これに加えて又はこの代わりに、光放出器１５１ｇ、１５２ｇ、及び光検出器１３０ｇは、ターゲット１０７ｇの位置合わせに関する何らかのカテゴリ情報及び／又は定性的情報を検出するように構成することができる。例えば、光放出器１５１ｇ、１５２ｇ、及び光検出器１３０ｇは、ターゲット１０７ｇの位置合わせが離散的状態セットのうち１つに対応すること、例えば「位置合わせされている」、「ほぼ位置合わせされている」、「位置合わせされていない」、「第１の光放出器１５１ｇに向かう方向に位置合わせされていない」、「第２の光放出器１５２ｇに向かう方向に位置合わせされていない」等に対応することを検出するように構成され得る。いくつかの例では、光放出器１５１ｇ、１５２ｇ、及び光検出器１３０ｇは、光放出器１５１ｇ、１５２ｇの動作期間中に光検出器１３０ｇによって検出した特性（例えば反射光の強度）がほぼ等しいことに基づいて、ターゲット１０７が位置合わせされていると判定することができる。
【００６１】
[0080]  光検出器１３０ｇは、何らかのエネルギ（例えば光、赤外線、紫外線、音響、超音波、電磁波、熱等）を放出するように構成されたエネルギ放出器を含み得ることに留意すべきである。エネルギを放出して、アクティブ検出（例えば、ターゲットを照明すること又は他の方法でエネルギに当てることで、特性に関するターゲットの変化（例えば蛍光、温度変化、エネルギの散乱）を検出可能とする）により、着用者及び／又はターゲット（例えば１０７ｇ）の何らかの特性を検出することができる。ターゲットと光検出器１３０ｇとの位置合わせは、ターゲットと光検出器１３０ｇのエネルギ放出器とを位置合わせすることを含み得る。光検出器１３０ｇは、限定ではないが、磁石、フィルタ、偏光子、磁気シム及び／又は遮蔽材料、及び回折格子を含む他の要素を含み得る。
【００６２】
[0081]  これに加えて又はこの代わりに、図１Ｇに示す光検出器１３０ｇは、他の何らかの要素、コンポーネント、又はデバイスを含み得る。いくつかの例では、ウェアラブルデバイス１００ｆは、着用者の身体及び／又はその構成要素に何らかの変化を引き起こす（例えば、がん細胞のような着用者の健康への悪影響を有する着用者の表面下血管系の何らかの被検物質を変性、破壊、又は他の方法で変化させる）ため、何らかのエネルギ（例えば可視光、赤外光、紫外光、熱、音響パルス）を放出するように構成されたエネルギ放出器を含み得る。いくつかの例では、ウェアラブルデバイス１００ｆは、近接した表面下血管系の管腔内の磁性粒子を引き付けるように構成された高強度磁石を含むことができる。高強度磁石が発する磁界が、磁性粒子を引き付け、集め、又は他の方法で磁性粒子に磁力を加えることができるように、ウェアラブルデバイス１００ｇの光検出器１３０ｇ及び光放出器１５１ｇ、１５２ｇ又は他の何らかのセンサ（複数のセンサ）は、表面下血管系（すなわちターゲット）と高強度磁石との位置合わせを検出するよう構成することができる。ウェアラブルデバイスの他の構成、動作、及び適用例、並びにそのような動作及び／又は適用例を可能とするか又は他の方法で影響を与えるためのそのようなウェアラブルデバイスのコンポーネント（複数のコンポーネント）との位置合わせも想定される。
【００６３】
[0082]  ウェアラブルデバイスは複数の光放出器及び／又はセンサを含むことができ、これらは、これら複数の光放出器、センサ、及び／又はウェアラブルデバイスの他のコンポーネント（複数のコンポーネント）に対するターゲットの位置合わせの検出を可能とするように様々な方法で構成することができる。図１Ｈは、そのようなウェアラブルデバイス１００ｈを示す。図１Ｈは、人の手首１０５ｈの部分断面図であり、人の手首１０５ｈに装着された場合の例示的なウェアラブルデバイス１００ｈを示す。ウェアラブルデバイス１００ｈは、図１Ａ、図１Ｂ、図１Ｃ、図１Ｄ、図１Ｅ、図１Ｆ、及び図１Ｇのウェアラブルデバイス１００ａ、１００ｂ、１００ｃ、１００ｄ、１００ｅ、１００ｆ、１００ｇと同様に構成することができ、電子コンポーネントを収容すると共にマウント１２０ｈによって着用者の外部体表面に装着されるように構成された筐体１１０ｈ（例えば耐水性及び／又は防水性の筐体）を含む。マウント１２０ｈは、手首１０５ｈを取り囲むと共に、手首１０５ｈ内のターゲット１０７ｈ（すなわち表面下血管系の一部）に近接して複数のセンサ１３０ｈ、１４０ｈ、１４５ｈ、及び光放出器１５１ｈ、１５２ｈ、１５３ｈ、１５４ｈ、１５５ｈ、１５６ｈを筐体１１０ｈ内に位置決めするように構成されたバンドとすることができる。
【００６４】
[0083]  図１Ｈに示すように、ターゲット１０７ｈは、筐体１１０ｅの下方で、センサ１３０ｈ、１４０ｈ、１４５ｈ、及び光放出器１５１ｈ、１５２ｈ、１５３ｈ、１５４ｈ、１５５ｈ、１５６ｈに近接した位置に配置される。いくつかの実施形態では、センサ１３０ｈ、１４０ｈ、１４５ｈ、及び光放出器１５１ｈ、１５２ｈ、１５３ｈ、１５４ｈ、１５５ｈ、１５６ｈは、センサ１３０ｈ、１４０ｈ、１４５ｈ、及び光放出器１５１ｈ、１５２ｈ、１５３ｈ、１５４ｈ、１５５ｈ、１５６ｈ、筐体１１０ｈ、又はウェアラブルデバイス１００ｈの他の何らかの要素（複数の要素）に対してターゲット１０７ｈの位置を決定するように構成することができる。すなわち、ターゲット１０７ｈの位置合わせの検出は、ターゲット１０７ｈの位置、向き、又はその配置に関する他の何らかの情報を検出するように、センサ１３０ｈ、１４０ｈ、１４５ｈ、及び光放出器１５１ｈ、１５２ｈ、１５３ｈ、１５４ｈ、１５５ｈ、１５６ｈを動作させることを含み得る。いくつかの実施形態では、センサ１３０ｈ、１４０ｈ、１４５ｈ、及び光放出器１５１ｈ、１５２ｈ、１５３ｈ、１５４ｈ、１５５ｈ、１５６ｈ、筐体１１０ｈ、及び／又はウェアラブルデバイス１００ｈの他のコンポーネントに対するターゲット１０７ｈの図示する位置は、ターゲット１０７ｈをウェアラブルデバイス１００ｈの要素（複数の要素）に対して位置合わせするように規定された１つ以上の位置のうち１つとすることができる。従って、センサ１３０ｈ、１４０ｈ、１４５ｈ、及び光放出器１５１ｈ、１５２ｈ、１５３ｈ、１５４ｈ、１５５ｈ、１５６ｈは、ターゲット１０７ｈに関する位置、向き、又は他の何らかの情報を検出するため上述のように動作させることができ、そのような検出情報に基づいて、ターゲット１０７ｈが位置合わせされているという判定を行うことができる。これに加えて又はこの代わりに、センサ１３０ｈ、１４０ｈ、１４５ｈ、及び光放出器１５１ｈ、１５２ｈ、１５３ｈ、１５４ｈ、１５５ｈ、１５６ｈは、ターゲット１０７ｈの位置合わせに関する何らかのカテゴリ情報及び／又は定性的情報を検出するように構成することができる。例えば、センサ１３０ｈ、１４０ｈ、１４５ｈ、及び光放出器１５１ｈ、１５２ｈ、１５３ｈ、１５４ｈ、１５５ｈ、１５６ｈは、ターゲット１０７ｈの位置合わせが離散的状態セットのうち１つに対応すること、例えば「位置合わせされている」、「ほぼ位置合わせされている」、「位置合わせされていない」、「第１のセンサ１３０ｈと位置合わせされている」、「第２のセンサ１４０ｈと位置合わせされている」、「第２の光放出器１５２ｈと位置合わせされている」、「第４の光放出器１５４ｈと位置合わせされている」、「第１のセットの２つのセンサ１３０ｈ、１４０ｈ間で位置合わせされていない」、「第１の対の光放出器１５２ｈ、１５３ｈ間で位置合わせされていない」、「第２の対の光放出器１５３ｈ、１５４ｈ間で位置合わせされていない」等に対応することを検出するように構成され得る。すなわち、いくつかの例では、ウェアラブルデバイス１００ｈのコンポーネント（複数のコンポーネント）に対するターゲット１０７ｈの配置は、位置合わせされていない���合がある。
【００６５】
[0084]  図示するウェアラブルデバイス１００ｇ、１００ｈのセンサ１３０ｇ、１３０ｈ、１４０ｈ、１４５ｈ、及び光放出器１５１ｇ、５１２ｇ、１５１ｈ、１５２ｈ、１５３ｈ、１５４ｈ、１５５ｈ、１５６ｈのセットは、線形アレイとして配置されていることに留意すべきである。これは特定の適用例において有利となり得る。例えばこれは、ウェアラブルデバイス及び／又はそのコンポーネントの位置合わせが、垂直方向よりもターゲットを基準とする一方向において、ウェアラブルデバイスの運動に対して敏感となる適用例である（例えば、ターゲットが表面下血管系の一部のような長い物体である場合）。センサ及び／又は光放出器の線形アレイが有利となり得る他の適用例は、ターゲットとウェアラブルデバイスとの間の調整及び／又は運動が概ね単一の方向及び／又は自由度に限られる適用例を含む（例えば、ウェアラブルデバイスが着用者の解剖学的組織の突出した要素（例えば手首、足首、手又は足）に装着される場合）。しかしながら、２つ以上の位置合わせ又は他の特性検知センサ及び／又は光放出器のアレイが、２次元パターン（例えば矩形、六角形、三角形、又は他の規則的もしくは不規則に離間したグリッド、モザイク、又は他のパターン）に配置されている多くの適用例が想定される。そのような２次元アレイのセンサは更に、ターゲットの位置合わせに関する情報に加えて、ターゲットに関する及び／又は着用者に関する情報を検出するように構成及び／又は動作させることができる。例えば、２次元アレイのセンサ及び／又は光放出器は、着用者の表面下血管系、神経、又は他の解剖学的もしくは生理学的な要素に関するパターン、大きさ、又は他の情報を検出するように動作させることができる。
【００６６】
[0085]  更に、センサ及び／又は光放出器のアレイ内の個々のセンサ及び／又は光放出器は、個別センサ（例えば、個々の個別光検出器、フォトダイオード、ＬＥＤ、サーミスタ、マイクロカメラ、又は他の個別コンポーネント及び／又はセンサから構成されたセンサ）、もしくは光放出器（例えば、個々の個別ＬＥＤ、半導体レーザ、ＶＣＳＥＬから構成された光放出器）とすることができるか、又は、シングルチップ、マルチチップモジュール、リソグラフ要素、又は他の複合要素もしくはデバイスの一部とすることができる。更に、センサ及び／又は光放出器のアレイは、個別センサ及び／又は光放出器のコンポーネント、及びマルチセンサ及び／又はマルチ光放出器一体型コンポーネントの組み合わせを含み得る。例えば、センサ及び／又は光放出器のアレイは、ＶＣＳＥＬのシングルチップアレイ、線形もしくは平面ＣＣＤアレイ、ＰＺＴもしくは他の音響及び／又は圧電変換器のアレイ、又は多数のセンサ及び／又は光放出器を含む他の何らかの要素を含み得る。センサ及び／又は光放出器のアレイ内のセンサ及び／又は光放出器は、実質的に同一であるか、又は２つ以上のタイプのセンサ及び／又は光放出器を含み得る。センサ及び／又は光放出器のアレイ内のセンサ及び／又は光放出器の一部又は全部は、ターゲットの位置合わせを検出するように構成及び／又は動作させることができる。更に、センサ及び／又は光放出器の一部又は全部は、着用者及び／又は着用者上又は着用者内のターゲットに関する他の情報を検出するように構成及び／又は動作させることができる。
【００６７】
[0086]  ウェアラブルデバイス（例えば１００ａ、１００ｂ、１００ｃ、１００ｄ、１００ｅ、１００ｆ、１００ｇ、１００ｈ）は、ターゲット（例えば表面下血管系の一部）の検出された位置合わせに基づいて動作させることができる。例えば、ウェアラブルデバイスの１つ以上のセンサ及び／又は光放出器を、ターゲットの位置合わせが検出された場合にターゲットの特性を検出するように動作させることができる。この１つ以上のセンサは、ターゲットの位置合わせの検出に加えて用いられるセンサであってもよく、又は異なるセンサであってもよい。いくつかの例では、センサ及び／又は光放出器を「便宜主義的に」動作させることができる。すなわち、ターゲット、着用者、ウェアラブルデバイス、及び／又はウェアラブルデバイスのコンポーネントの移動によって、ターゲット及び／又は着用者の身体上又は身体内の他の対象要素とウェアラブルデバイスの１つ以上のセンサ又は他の要素との位置合わせが行われる時間期間中に、動作させることができる。いくつかの例では、ウェアラブルデバイスの加速度計、オプティカルフローセンサ、又は他のデバイスを動作させて、以前の時間期間中に検出されたターゲットの位置合わせに基づき、ターゲットの位置及び／又は配置に関する他の情報を予測することができる。この予測された位置及び／又は他の情報を用いて、ターゲットが位置合わせされていること又は位置合わせされようとしていることを予測し、この予測された位置合わせに基づいてウェアラブルデバイスを動作させる（例えばターゲットの特性を検出する）ことができる。これは、センサがアクティブになるため及び／又は測定を行うために高いエネルギ要求を有する及び／又はある時間期間を要する適用例において、特に有利であり得る。すなわち、そのようなセンサは、ウェアラブルデバイスが（予測した今後の／現在の位置合わせ及び／又はウェアラブルデバイスのセンサ及び／又は光放出器を用いて検出した位置合わせに基づいて）ターゲットが位置合わせされようとしていること及び／又は現在位置合わせされていることを予測するまで、機能が無効になった状態及び／又は低電力状態に維持することができる。この予測が行われたら、測定を行うためにセンサを活性化及び／又は動作させることができる。
【００６８】
[0087]  これに加えて又はこの代わりに、ウェアラブルデバイスは、ターゲットがウェアラブルデバイスの１つ以上のコンポーネントと位置合わせされるように、１つ以上のコンポーネントを位置合わせする及び／又は位置合わせをユーザに指示するように構成及び／又は動作することができる。これは、ウェアラブルデバイスが、ターゲットに対してウェアラブルデバイスの１つ以上のコンポーネントの位置を制御するように構成されたサーボ又は他のアクチュエータを含むことを含み得る（例えば、図２Ａ及び図２Ｂに示す例示的なウェアラブルデバイス２００）。これに加えて又はこの代わりに、これは、ウェアラブルデバイスが、ターゲットに対してウェアラブルデバイスの１つ以上のコンポーネントを位置合わせするため、ウェアラブルデバイスの及び／又はウェアラブルデバイスの何らかのサブコンポーネントの位置の調整を着用者に指示することを含み得る（例えば、図３Ａ、図３Ｂ、図３Ｃ、及び図３Ｄに示す例示的なウェアラブルデバイス３００）。
【００６９】
[0088]  図２Ａ及び図２Ｂは、人の手首２０５の部分断面図であり、人の手首２０５に装着された場合の例示的なウェアラブルデバイス２００を示す。ウェアラブルデバイス２００は、電子コンポーネントを収容すると共にマウント２２０によって着用者の外部体表面に装着されるように構成された筐体２１０（例えば耐水性及び／又は防水性の筐体）を含む。マウント２２０は、手首２０５を取り囲むと共に、手首２０５内のターゲット２０７（すなわち表面下血管系の一部）に近接して第１のセンサ２３０及び第２のセンサ２４０を筐体２１０内に位置決めするように構成されたバンドとすることができる。第１のセンサ２３０及び第２のセンサ２４０はセンサ往復台（ｃａｒｒｉａｇｅ）２６０内に配置されている。センサ往復台２６０は、筐体２１０内に配置され、第１のセンサ２３０及び第２のセンサ２４０の位置を制御するため移動させることができる（例えばサーボ、圧電要素、ソレノイド、又は他の何らかの電気的及び／又は機械的アクチュエータによって）。ウェアラブルデバイス２００は、図示しない追加の要素も含む。追加の要素は例えば、第１のセンサ２３０及び第２のセンサ２４０を動作させ、センサ往復台２６０の位置を制御するようアクチュエータを動作させ、更にウェアラブルデバイス２００のアプリケーション及び／又は機能を可能とするように構成された電子機器、ウェアラブルデバイス２００に電力を供給するように構成された充電式バッテリ、又は他のコンポーネントである。ウェアラブルデバイス２００のコンポーネントは、筐体２１０、マウント２２０、又はウェアラブルデバイス２００の他の何らかの要素（図示せず）、例えば第２の筐体の上又は内部に配置され得る。
【００７０】
[0089]  図２Ａに示すように、ターゲット２０７は、筐体２１０の下方で、第１のセンサ２３０と第２のセンサ２４０との間の位置に配置される。いくつかの実施形態では、第１のセンサ２３０及び第２のセンサ２３０は、センサ２３０、２４０、センサ往復台２６０、筐体２１０、又はウェアラブルデバイス２００の他の何らかの要素（複数の要素）に対してターゲット２０７の位置を決定するように構成することができる。すなわち、ターゲット２０７の位置合わせの検出は、ターゲット２０７の位置、向き、又はその配置に関する他の何らかの情報を検出するように、センサ２３０、２４０を動作させることを含み得る。図２Ｂに示すように、センサ往復台２６０の位置は、センサ２３０、２４０がターゲット２０７に位置合わせされる（すなわちターゲット２０７から等距離にある）ように、（例えばウェアラブルデバイスがサーボ、モータ、圧電要素、又は他のアクチュエータを動作させることによって）制御されている。
【００７１】
[0090]  センサ往復台２６０（従ってセンサ２３０、２４０）の位置の制御は、連続的に、１つ以上の規定の時間期間に、又は他の何らかの検討事項もしくは検討事項の組み合わせに従って、実行することができる。例えば、ターゲット２０７及び／又は着用者の特性の測定は、センサ２３０、２４０とターゲット２０７との位置合わせを条件として行うことができ、１つ以上の規定の時点で実行することができる。センサ往復台２６０は、１つ以上の規定の時点中にターゲット２０７と位置合わせするように配置すると共に、１つ以上の規定の時点以外の時点では、（例えばターゲット２０７、着用者、ウェアラブルデバイス２００、センサ往復台２６０、又は他の何らかの要素もしくは複数の要素の、制御された運動又は制御されていない運動によって）位置合わせしないようにすることができる。これに加えて又はこの代わりに、センサ２３０、２４０は、ターゲット２０７の位置合わせを検出するように連続的に及び／又は定期的に動作させることができ、これに応答してセンサ往復台２６０の配置を動作させることができる。いくつかの例では、これは、ターゲット２０７とセンサ２３０、２４０及び／又はウェアラブルデバイス２００の他のコンポーネントとを位置合わせするようにセンサ往復台２６０の位置を連続的に制御することを含み得る。いくつかの例では、これは、検出された位置合わせが何らかの閾値未満に低下した（例えば、検出された位置合わせが規定の位置合わせから５ｍｍ超離れた）場合に、ターゲット２０７とセンサ２３０、２４０及び／又はウェアラブルデバイス２００の他のコンポーネントとを位置合わせするようにセンサ往復台２６０の位置を制御することを含み得る。本明細書に記載されるようなウェアラブルデバイスの他の動作も当業者に明らかであり、想定される。更に、ターゲット２０７の位置合わせは、異なる時点でウェアラブルデバイス２００の異なる要素とターゲット２０７を位置合わせすることを含み得る。異なる時点でのセンサ往復台２６０の制御された位置は、これを反映することができる。あるいはセンサ往復台２６０は、２つ以上の光放出器及び１つ以上の光検出器を含むことも可能であり、これらは、２つ以上の光放出器、１つ以上の光検出器、センサ往復台２６０、筐体２１０、又はウェアラブルデバイス２００の他の何らかの要素（複数の要素）に対してターゲット２０７の位置を決定するように構成され得る。
【００７２】
[0091]  ウェアラブルデバイス（例えば１００ａ、１００ｂ、１００ｃ、１００ｄ、１００ｅ、１００ｆ、１００ｇ、１００ｈ、２００）の着用者又は他のユーザは、ウェアラブルデバイスの１つ以上のコンポーネント（例えばセンサ、光放出器）を、ターゲット又は着用者の身体上又は身体内の他の構成要素と位置合わせするように、ウェアラブルデバイス及び／又はそのコンポーネントを動作、配置、調整、又は他の方法で配置することができる。ウェアラブルデバイスは、２つ以上のセンサ（例えば光検出器、サーミスタ、又は他の何らかのセンサ）及び／又は２つ以上の光放出器及び１つ以上の光検出器を動作させてターゲットの位置合わせを検出することができ、更に、検出された位置合わせを（例えばディスプレイ、音の発生、振動、又は他の何らかの指示手段によって）着用者又は他の何らかのユーザに指示して、着用者又は他のユーザがターゲットに対するウェアラブルデバイスの１つ以上のコンポーネントの位置を調整することを可能とする。
【００７３】
[0092]  図３Ａ及び図３Ｃは、人の手首３０５の部分断面図であり、人の手首３０５に装着された場合の例示的なウェアラブルデバイス３００を示す。ウェアラブルデバイス３００は、電子コンポーネントを収容すると共にマウント３２０によって着用者の外部体表面に装着されるように構成された筐体３１０（例えば耐水性及び／又は防水性の筐体）を含む。マウント３２０は、手首３０５を取り囲むと共に、手首３０５内のターゲット３０７（すなわち表面下血管系の一部）に近接して第１のセンサ３３０及び第２のセンサ３４０を筐体２１０内に位置決めするように構成されたバンドとすることができる。ウェアラブルデバイス３００は更に、ユーザに情報を提示するように及び／又はユーザから入力もしくはコマンドを受信するように構成されたディスプレイ３６０を含む（図３Ｂ及び図３Ｄに上面図で示す）。ウェアラブルデバイス３００は、図示しない追加の要素も含む。追加の要素は例えば、第１のセンサ３３０及び第２のセンサ３４０を動作させ、ディスプレイ３５０を動作させ、更にウェアラブルデバイス３００のアプリケーション及び／又は機能を可能とするように構成された電子機器、ウェアラブルデバイス３００に電力を供給するように構成された充電式バッテリ、又は他のコンポーネントである。ウェアラブルデバイス３００のコンポーネントは、筐体３１０、マウント３２０、又はウェアラブルデバイス３００の他の何らかの要素（図示せず）、例えば第２の筐体の上又は内部に配置され得る。
【００７４】
[0093]  図３Ａに示すように、ターゲット３０７は、筐体３１０の下方で、第１のセンサ３３０と第２のセンサ３４０との間の位置に配置される。いくつかの実施形態では、第１のセンサ３３０及び第２のセンサ３３０は、センサ３３０、３４０、筐体３１０、又はウェアラブルデバイス３００の他の何らかの要素（複数の要素）に対してターゲット３０７の位置を決定するように構成することができる。すなわち、ターゲット３０７の位置合わせの検出は、ターゲット３０７の位置、向き、又はその配置に関する他の何らかの情報を検出するように、センサ３３０、３４０を動作させることを含み得る。これに対応して、（図３Ｂに示すように）ディスプレイ３６０は、相対位置合わせ表示３７０ａを提示して、ターゲット３０７が位置合わせされていないこと、及びウェアラブルデバイス３００をターゲット３０７と位置合わせするため着用者がウェアラブルデバイス３００を指示された方向に調整できることを示すように動作され得る。これに加えて又はこの代わりに、ディスプレイ３６０は、位置合わせマーク３８２ａからある距離及び方向を有する位置合わせインジケータ３８４ａを含む絶対位置合わせ表示３８０ａを提示して、ターゲット３０７が位置合わせされていない程度及び方向を示すと共に、ウェアラブルデバイス３００をターゲット３０７と位置合わせするため着用者がウェアラブルデバイス３００を指示された方向に指示された量だけ調整できることを示すように動作され得る。
【００７５】
[0094]  図３Ｃに示すように、ターゲット３０７は、ウェアラブルデバイス３００と位置合わせされるように、筐体３１０の下方で、第１のセンサ３３０と第２のセンサ３４０との間の中間の位置に配置される。これに対応して、（図３Ｄに示すように）ディスプレイ３６０は、ターゲット３０７が位置合わせされていることを示す相対位置合わせ表示３７０ａを提示するように動作され得る。これに加えて又はこの代わりに、ディスプレイ３６０は、位置合わせマーク３８２ｂと実質的に重複することによりターゲット３０７が位置合わせされていることを示す位置合わせインジケータ３８４ｂを含む絶対位置合わせ表示３８０ｂを提示するように動作させ得る。
【００７６】
[0095]  位置合わせの指示（例えば相対位置合わせ表示３７０ａ／ｂ、及び／又は絶対位置合わせ表示３８０ａ／ｂの提示、及び／又は他の何らかの指示方法の使用）は、連続的に、１つ以上の規定の時間期間に、又は他の何らかの検討事項又は検討事項の組み合わせに従って、実行することができる。例えば、ターゲット３０７及び／又は着用者の特性の測定は、センサ３３０、３４０とターゲット３０７との位置合わせを条件として行うことができ、１つ以上の規定の時点で実行することができる。ディスプレイ３６０又はウェアラブルデバイス３００の他のコンポーネントは、位置合わせを示すように、及び／又は１つ以上の規定の時点中にウェアラブルデバイス３００の位置の調整を実行することを着用者に命令するよう動作すると共に、１つ以上の規定の時点以外の時点では、（例えばターゲット３０７、着用者、ウェアラブルデバイス３００、又は他の何らかの要素もしくは複数の要素の、制御された又は制御されていない運動によって）位置合わせしないようにすることができる。これに加えて又はこの代わりに、センサ３３０、３４０は、ターゲット３０７の位置合わせを検出するように連続的に及び／又は定期的に動作させることができ、これに応答してディスプレイ３６０は調整及び／又は位置合わせを示すように動作することができる。いくつかの例では、これは、相対位置合わせ表示３７０ａ／ｂ及び／又は絶対位置合わせ表示３８０ａ／ｂの連続的な提示、及び／又は他の何らかの手段による調整又は位置合わせの指示を含み得る。いくつかの例では、これは、相対位置合わせ表示３７０ａ／ｂ及び／又は絶対位置合わせ表示３８０ａ／ｂを連続的に提示すること、及び／又は他の何らかの手段によって調整もしくは位置合わせを示すことを含み得る。いくつかの例では、これは、検出された位置合わせが何らかの閾値未満に低下した（例えば、検出された位置合わせが規定の位置合わせから５ｍｍ超離れた）場合に、相対位置合わせ表示３７０ａ／ｂ及び／又は絶対位置合わせ表示３８０ａ／ｂを連続的に提示すること、及び／又は他の何らかの手段によって調整もしくは位置合わせを示すことを含み得る。本明細書に記載されるようなウェアラブルデバイスの他の動作も当業者に明らかであり、想定される。更に、ターゲット３０７の位置合わせは、異なる時点でウェアラブルデバイス３００の異なる要素とターゲット３０７を位置合わせすることを含み得る。（例えばディスプレイ３６０を用いた）位置合わせの指示は、これを反映することができる。
【００７７】
[0096]  図３Ｂ及び図３Ｄに示す指示は例示的なものであり、限定を意図していないことに留意すべきである。ウェアラブルデバイスは、ターゲットの位置合わせに関してディスプレイ上に異なる指示又は追加の指示を提示し得る。ウェアラブルデバイスのディスプレイは、更に、追加の又は代替的な情報を着用者に提示するように動作させ得る。更に、ウェアラブルデバイスのディスプレイは、異なる形状を有するか、又は追加のもしくは代替的な要素を含むことも可能である。例えば、ＬＥＤ又は他の光放出器のアレイをウェアラブルデバイスに含ませて、着用者がターゲットを位置合わせするためウェアラブルデバイスを調整できるように、ウェアラブルデバイスの１つ以上のコンポーネントに対するターゲットの位置合わせに関する情報を示すように動作させることができる。位置合わせ情報を着用者に示すための代替的な方法、例えば振動（例えばウェアラブルデバイス内のバイブレータモータを用いる）、音（例えばウェアラブルデバイスのスピーカ及び／又は圧電要素を用いる）、又は他の何らかの方法を用いてもよい。いくつかの例では、ウェアラブルデバイスは、位置合わせ情報を他のデバイス（例えばスマートフォン、ロボットアクチュエータ）に送信するように構成された無線送受信器又は他の何らかの通信手段を含み、他のデバイスは、位置合わせ情報を（例えば他のデバイスのディスプレイを用いて）示し、及び／又はウェアラブルデバイスのコンポーネントの位置を（例えばロボットアクチュエータを用いてウェアラブルデバイス及び／又はそのコンポーネントを操作することにより）調整することができる。
【００７８】
[0097]  図３Ａ及び図３Ｃは、手首３０５を中心とするウェアラブルデバイス３００の回転の形態をとったウェアラブルデバイス３００の調整を示すことに留意すべきである。これは、調整及び／又は位置合わせの指示に応答して着用者又は他のユーザが実行できるウェアラブルデバイス及び／又はそのコンポーネントの調整の非限定的な例である。いくつかの例では、着用者による調整は、ウェアラブルデバイスを他の何らかの方法で再び位置決めすること（例えば着用者の手又は足の上部又は下部にデバイスを動かすことによって）を含み得る。いくつかの例では、着用者による調整は、ウェアラブルデバイスの何らかの機構（複数の機構）を操作及び／又は再構成して、ウェアラブルデバイスの何らかの指示に従ってウェアラブルデバイスの１つ以上のコンポーネントとターゲットとを位置合わせすることを含み得る。いくつかの例では、ウェアラブルデバイスは、着用者によって実行される他の調整及び／又は再構成を示すことができる（例えばフィルタの適用及び／又は回転、ウェアラブルデバイスの異なる動作モードに関連した異なる機械的構成又は他の構成にウェアラブルデバイスを再構成すること）。
【００７９】
[0098]  ウェアラブルデバイス３００は、これに加えて又はこの代わりに、２つ以上の光放出器及び１つ以上の光検出器を含み、これらが、これら２つ以上の光放出器、１つ以上の光検出器、筐体３１０、又はウェアラブルデバイス３００の他の何らかの要素（複数の要素）に対してターゲット３０７の位置を決定するように構成され得ることに留意すべきである。
【００８０】
[0099]    図２Ａ、図２Ｂ、図３Ａ、及び図３Ｃに示すように、ターゲット（例えば２０７、３０７）の位置合わせ、及び１つ以上のセンサ又は他のコンポーネント（例えば２３０、２４０、３３１、３３２、３３３、３３４、３３５、３３６、３５０）の位置の制御及び／又は調整は１次元であることに留意すべきである。すなわち、図示する例示的なウェアラブルデバイス（例えば２００、３００）のセンサ及び他のコンポーネントの位置は、１次元で制御されるものとしてのみ説明する。そのようなセンサ又は他のコンポーネントを位置合わせするためのウェアラブルデバイスのセンサ、光放出器、又は他のコンポーネントの位置の制御は、用途に応じて２次元以上で制御され得ることが想定される。いくつかの例では、これは、ウェアラブルデバイスが、（例えばサーボ又は他のアクチュエータを用いて）センサ、光放出器、又は他のコンポーネントの位置を２次元以上で制御するように構成されることを含み得る。いくつかの例では、これは、ウェアラブルデバイスが、ウェアラブルデバイス及び／又はその１つ以上のコンポーネントの位置を２次元以上で調整するよう着用者又は他のユーザに指示することを含み得る（例えば、ウェアラブルデバイスは着用者の手首に装着することができ、手首を中心としたウェアラブルデバイスの回転と、手又は足の端部の方へ向かうか又はそこから遠ざかるウェアラブルデバイスの変位とを示すことができる）。いくつかの例では、ウェアラブルデバイスは、ウェアラブルデバイスの１つ以上のコンポーネント（例えばセンサ、光放出器）の位置を（例えばサーボ又は他のアクチュエータを動作させることで）制御するように、更に、ターゲットとウェアラブルデバイスとの位置合わせを実施するためウェアラブルデバイス又はそのコンポーネントの何らかの調整を着用者又は他のユーザに指示するように構成することができる。
【００８１】
[00100]  本明細書の例示的なデバイスは、着用者の手首に装着されて手首内のターゲットと位置合わせするように構成されている。しかしながら、本明細書に記載する実施形態は、他の身体部位（例えば足首、大腿、胸、額、大腿、指）に適用されるか、又は他の環境内のターゲットの位置合わせを検出するため適用することができる。例えば、本明細書に記載する実施形態は、何らかの装置の２つ以上のセンサを用いて、その装置に対する、環境（例えば自然環境、産業環境、薬学環境、又は水処理プロセス環境）内のターゲット（例えば流体導管、チューブ、サンプル容器、被検物質を引き付ける及び／又は集めるデバイス）の位置合わせを検出するために適用され得る。
【００８２】
[00101]  本明細書に記載されるようなセンサ及び／又は検出器は、多種多様な物理パラメータの特性を検出するように構成された多種多様なコンポーネントを含み得る。センサ及び／又は検出器は、光検出器、温度センサ、可視光センサ、赤外線センサ、紫外線センサ、カメラ、力変換器、音響変換機、圧電要素、電磁界センサ、放射センサ、電流及び／又は電圧センサ、磁界センサ、電界センサ、又は、センサに対する及び／又はセンサを含むデバイスの１つ以上のコンポーネントに対するターゲットの位置合わせについての何らかの情報を検出するように構成可能な他のいずれかのセンサ、又はセンサの組み合わせを含み得る。光検出器は、ターゲット及び／又はターゲットを含む環境から受信した光の１つ以上の特性を検出するように構成することができ、フォトダイオード、フォトトランジスタ、アクティブ画素センサ、ＣＣＤセンサ、又は他の何らかの感光性要素を含み得る。光検出器は、受信した光の色、強度、波長、スペクトル、偏光、又は他の何らかの１つもしくは複数の特性を検出するように構成することができる。
【００８３】
[00102]  本明細書に記載されるようなセンサ及び／又は検出器は、更に、エネルギ放出器を含む及び／又はエネルギ放出器と連携して動作するように構成することができる。エネルギ放出器は、光放出器、赤外線放出器、紫外線放出器、音響及び／又は超音波放出器、電磁界放出器、マイクロ波放出器、加熱器、又は、ターゲットに及び／又はターゲットを含む環境にエネルギを放出及び／又は誘導するように構成された他の何らかのコンポーネントを含み得る。光放出器は、ＬＥＤ、レーザ、ＶＣＳＥＬ、又は他の要素を含み、１つ以上の規定の特性を有する光を放出するように構成することができる。例えば、ターゲットは着用者の皮下の表面下血管系とすることができ、放出される光と表面下血管系の血液以外の着用者の組織との相互作用が最小限となるように、放出される光は規定の波長（例えば４００ナノメートル）を有すればよい。
【００８４】
[00103]  センサ及び／又は検出器は、ウェアラブルデバイスの着用者の外部体表面を介して、例えば、着用者の外部体表面（すなわち着用者の手首の皮膚）に接触すること、外部体表面を通して／その内部にエネルギ（例えば電気、磁気、照明、音波）を誘導すること、外部体表面から／これを通して受信したエネルギ（例えば電気、磁気、照明、音波）を検出すること、又は他の方法で外部体表面と及び／又はこれを介して相互作用することによって、着用者の様々な特性の１つ以上を検出するように動作させることができる。例えば、光を着用者の外部体表面へ放出して外部体表面を照明し、外部体表面から受信した光の１つ以上の特性を（例えばフォトダイオードを用いて）検出することができる。この照明及び検出を用いて、ウェアラブルデバイスに近接した（例えば表面下血管系の一部における）酸素化状態、着用者の心拍数、着用者の血管系の血流プロファイル、又は他の何らかの情報を検出することができる。センサは、用途に応じて、着用者の身体内の造影剤（例えば官能化フルオフォロア、発色団、磁性粒子、又は他の何らかの天然もしくは人工的な造影剤）の１つ以上の特性を検出するように構成され得る。
【００８５】
[00104]  いくつかの例において、デバイスのセンサは、位置合わせ特徴部の位置、向き、位置合わせ、及び／又は配置に関する他の情報を検出することによって、ターゲットの位置合わせを検出するように構成することができる。位置合わせ特徴部は、ターゲットと予測可能な位置関係及び／又は安定した空間関係を有する着用者の身体の表面内又は表面上の任意の要素（複数の要素）とすることができる。例えば位置合わせ特徴部は、表面下血管系の一部（すなわちターゲット）に近接した腱、神経、又は他の解剖学的特徴（ｆｅａｔｕｒｅ）とすればよい。位置合わせ特徴部はターゲットに対して既知の及び／又は規定の空間関係を有することができ、及び／又は、位置合わせ特徴部とターゲットとの空間関係はウェアラブルデバイスのセンサを用いてウェアラブルデバイスによって決定することができる。本明細書において、ターゲットの位置合わせを検出するウェアラブルデバイス又は他のデバイスについての言及は、位置合わせ特徴部の位置、向き、位置合わせ、及び／又は配置に関する他の情報を検出するウェアラブルデバイス又は他のデバイスにも等しく適用され得ることに留意すべきである。
【００８６】
[00105]  位置合わせ特徴部は人工的なものとすることができる。位置合わせ特徴部は、着用者の皮膚の表面及び／又は内部に塗布された顔料であってもよい。例えば、位置合わせ特徴部はタトゥーであってもよい。位置合わせ特徴部は、埋め込まれたデバイス又は物体（複数の物体）であってもよい。位置合わせ特徴部の１つ以上の特性によって、位置合わせ特徴部の位置、向き、位置合わせ、又は他の配置情報の検出が可能となる。例えば、位置合わせ特徴部は、規定の色を有する蛍光顔料又はコーティング及び／又は顔料又は表面処理を含み得る。位置合わせ特徴部は、位置合わせ特徴部の検出を可能とするため及び／又は位置合わせ特徴部の上又は内部の位置を検出するための規定の形状又は幾何学的形状を有し得る。例えば、位置合わせ特徴部は、着用者の手首の周りに施された一連のグレイコード又は他の空間的に符号化されたバー又は他の特徴を含むタトゥーであり、手首に装着されたデバイスは、このデバイスが検出するタトゥーのパターンに基づいて、手首の要素（例えば骨、血管、腱、神経）に対するデバイスの位置合わせを決定できるようになっている。位置合わせ特徴部は、着用者の身体に適用及び／又は挿入されて、この適用及び／又は挿入後に、ターゲットに対して規定の空間関係を有する及び／又はターゲットと位置合わせ特徴部との間の空間関係が決定され得るようになっている。天然の（例えば解剖学的な）位置合わせ特徴部及び人工的な位置合わせフィーチャの他の実施形態及び／又は適用例も想定される。
【００８７】
[00106]  本明細書に記載されるようなウェアラブルデバイス及び他の実施形態は、様々な方法で構成された様々なコンポーネントを含むことができる。本明細書に記載されるデバイスは、ウェアラブルデバイスのアプリケーションを可能とするため様々な方法で構成された様々な異なるコンポーネントを含む電子機器を含み得る。これらの電子機器は、コントローラ、増幅器、スイッチ、ディスプレイドライバ、タッチセンサ、無線通信チップセット（例えば、ウェアラブルデバイスと他の何らかのシステム（複数のシステム）との間で無線通信を可能とするためのＢｌｕｅｔｏｏｔｈ無線機又は他の無線送受信器及び関連付けられたベースバンド回路）、又は他のコンポーネントを含み得る。電子機器は、ターゲットの位置合わせ及び／又は着用者の身体の１つ以上の特性を検出するように１つ以上のセンサ及び／又はセンサのコンポーネントを動作させるよう構成されたコントローラを含み得る。コントローラは、ウェアラブルデバイスのアプリケーションを可能とするためのコンピュータ読み取り可能命令（例えばウェアラブルデバイスのデータ記憶に記憶されたプログラム命令）を実行するように構成されたプロセッサを含み得る。電子機器は、ウェアラブルデバイスの用途に応じて追加の又は代替的なコンポーネントを含むことができる。
【００８８】
[00107]  本明細書に記載されるようなウェアラブルデバイスは、１つ以上のユーザインタフェースを含むことができる。ユーザインタフェースは、着用者に画像を提示すると共に、インタフェース上での着用者の１以上の指の押圧を検出するように構成されたディスプレイを含み得る。電子機器のコントローラ又は他の何らかのコンポーネント（複数のコンポーネント）は、着用者又はデバイスの他のユーザに情報を提供し、着用者又は他のユーザがウェアラブルデバイスの動作に影響を与えることを可能とし、ウェアラブルデバイス及び／又はウェアラブルデバイスの着用者の何らかの特性（例えば、ウェアラブルデバイスの１つ以上のコンポーネントに対するターゲットの位置合わせ）を決定し、又は着用者及び／又はユーザに他の何らかの機能性もしくはアプリケーションを提供するように、ユーザインタフェースを動作させることができる。一例として、ユーザインタフェースは、ターゲットの位置合わせに関する情報を着用者に示すように動作してもよい。別の例として、着用者は、ユーザインタフェースの指示された領域を押圧して、着用者に関する検出された医学情報のロギングをウェアラブルデバイスが開始するべきであることを示してもよい。他の指示情報、ウェアラブルデバイスの動作の変更、又はユーザインタフェースの他の機能及びアプリケーションも想定される。
【００８９】
[00108]  図１Ａ〜図１Ｈ、図２Ａ〜図２Ｂ、及び図３Ａ〜図３Ｄに示す実施形態は説明のための例であり、限定を意図していないことに留意すべきである。代替的な構成で更に多数の又は少数のコンポーネントを含む代替的な実施形態も想定される。ウェアラブルデバイスは、多数の筐体又は他のそのようなアセンブリを含み、その各々がそのようなウェアラブルデバイスのアプリケーションを可能とするための何らかのコンポーネントセットを含むことも可能である。例えば、ウェアラブルデバイスは第１の筐体を含み、その内部に、第１の筐体／センサ及び／又は光放出器に対するターゲットの位置合わせを検出するように構成されたセンサ及び／又は光放出器が配置され、更に第２の筐体を含み、その内部に、センサ及び／又は光放出器を動作させ、ウェアラブルデバイスのユーザに情報を提示すると共にユーザからコマンドを受信するように構成されたユーザインタフェース及び電子機器を収容することができる。ウェアラブルデバイスは、様々な機能を実行すると共に様々なアプリケーションを可能とするように構成され得る。ウェアラブルデバイスは、他のデバイス又はシステムと連携して動作するように構成され得る。例えば、ウェアラブルデバイスは、ウェアラブルデバイスの着用者の身体の１つ以上の特性を示すデータを送信するように構成された無線通信インタフェースを含み得る。本明細書に記載されるようなウェアラブルデバイスの他の実施形態、動作、構成、及び適用例も想定される。
【００９０】
[00109]  ウェアラブルデバイス４００（図４に示す）は、ウェアラブルデバイス４００に対するターゲットの位置合わせを自動的に検出する、及び／又はデバイスを着用している人の複数の生理学的パラメータを測定することができる。本開示で用いる場合、「ウェアラブルデバイス」という言葉は、例えば手首、足首、腰部、胸部、又は他の身体部位等、体表面に、又は体表面の上又は近傍に着用することができる任意のデバイスを指す。身体外から非侵襲的に生体内測定値を取得するため、ウェアラブルデバイスは、表面下血管系又は着用者の身体の他のターゲットもしくは要素が容易に観察できる身体の部分上に位置決めされ得る。その適切性（ｑｕａｌｉｆｉｃａｔｉｏｎ）は使用される検出システムのタイプに依存する。このデバイスは、皮膚又は組織の至近距離に配置され得る。デバイスを体表面に、又は体表面の上又は近傍に装着するため、ベルト、手首バンド、足首バンド等のマウント４１０を設けることができる。マウント４１０は、測定エラー及びノイズを低減するため、ウェアラブルデバイスが身体に対して動くのを防ぐことができる。図４に示す一例では、マウント４１０は、身体の一部の周りに着用可能なストラップ又はバンド４２０の形態をとり得る。更に、マウント４１０は、ウェアラブルデバイス４００を着用者の身体に接着させるための接着性基板としてもよい。
【００９１】
[00110]  マウント４１０上に筐体４３０が配置され、これは身体上に位置決めできるようになっている。筐体４３０の接触面４４０は、外部体表面に対向して装着されるように意図されている。筐体４３０は、センサ４５１、４５２、４５３、４５４、４５５、４５６を含むことができ、これらは、センサ４５１、４５２、４５３、４５４、４５５、４５６及び／又はウェアラブルデバイス４００の他の何らかの要素（複数の要素）に対するターゲット（例えば表面下血管系の一部）の位置合わせを検出するためのものである。筐体４３０は更に、ウェアラブルデバイスを着用している人の健康に関連する任意のパラメータを含み得る、ターゲット及び／又は着用者の身体上又は身体内の他の何らかの要素の少なくとも１つの特性を検出するための少なくとも１つの別のセンサ４６０を含むことも可能である。例えば別のセンサ４８０は、血圧、脈拍数、呼吸数、皮膚温度等を測定するように構成することができる。非網羅的なリストでは、センサ４５１、４５２、４５３、４５４、４５５、４５６及び別のセンサ４８０は、光（例えばＣＭＯＳ、ＣＣＤ、フォトダイオード）センサ、音響（例えば圧電、圧電セラミック）センサ、電気化学（電圧、インピーダンス）センサ、熱センサ、機械（例えば圧力、歪み）センサ、磁気センサ、又は電磁（例えば磁気共鳴）センサのいずれか１つ以上を含み得る。ウェアラブルデバイスが着用者の通常の活動を著しく邪魔することなく身体上に着用され得るように、筐体４３０内に配置されたコンポーネントを小型化することも可能である。ウェアラブルデバイスは更に、着用者の身体上又は身体内のターゲットとの位置合わせを検出するようにセンサ４５１、４５２、４５３、４５４、４５５、４５６を動作させることを含むウェアラブルデバイス４００の機能を可能とするように構成された電子機器を含む。あるいは、例示する４５１、４５２、４５３、４５４、４５５、４５６は光放出器であり、例示する４６０は光検出器であって、光放出器４５１、４５２、４５３、４５４、４５５、４５６、光検出器４６０、及び／又はウェアラブルデバイス４００の他の要素に対するターゲットの位置合わせを検出するように構成してもよい。
【００９２】
[00111]  また、ウェアラブルデバイス４００はユーザインタフェース４９０も含むことができ、これを介してデバイスの着用者は、遠隔サーバもしくは他の遠隔コンピューティングデバイスから又はデバイス内のプロセッサから発生された１つ以上の助言又は警告を受信することができる。警告は、ウェアラブルデバイスを着用している人が気付き得る任意の指示とすればよい。例えば警告は、視覚成分（例えばディスプレイ上のテキスト又はグラフィック情報）、聴覚成分（例えばアラーム音）、及び／又は触覚成分（例えば振動）を含み得る。更に、ユーザインタフェース４９０は、警告又は助言の視覚指示を表示できるディスプレイ４９２を含み得る。ディスプレイ４９２は、測定された位置合わせの指示を与えるように、及び／又はターゲットとウェアラブルデバイスを位置合わせするため着用者が行い得る調整を示すように構成することができる。
【００９３】
[00112]  いくつかの例において、ウェアラブルデバイスは、図５Ａ及び図５Ｂに示すように、手首装着デバイスとして提供される。手首装着デバイスは、時計又はブレスレットと同様の手首バンド又はカフスによって生体の手首に装着され得る。図５Ａ及び図５Ｂに示すように、手首装着デバイス５００は、手首バンド５２０の形態のマウント５１０、データ収集システムを収容し着用者の手首の前側５４０に位置決めされた筐体５３０、及び着用者の手首の後ろ側５６０に位置決めされたユーザインタフェース５５０を含み得る。デバイスの着用者は、ユーザインタフェース５５０を介して、遠隔サーバもしくは他の遠隔コンピューティングデバイスから発生された１つ以上の助言もしくは警告、又は測定プラットフォームからの警告を受信することができる。腕時計を確認する行為のように手首の後ろ側５６０を注視するのは一般的であるので、このような構成はデバイスの着用者にとって自然なものと認められ得る。従って、着用者はユーザインタフェース上のディスプレイ５７０を容易に見ることができる。更に、筐体５３０は、表面下血管系又は着用者の身体の他の要素が容易に観察できる着用者の手首の前側５４０に配置することができる。しかしながら、他の構成も想定される。
【００９４】
[00113]  ディスプレイ５７０は、警告又は助言の視覚的な指示、及び／又は、ウェアラブルデバイス５００に対するターゲットの測定された位置合わせの指示を表示するように構成することができる。更に、ユーザインタフェース５５０は、着用者からの入力を受け取るための１つ以上のボタン５８０を含み得る。例えばボタン５８０は、ディスプレイ５７０上で見えるテキスト又は他の情報を変更するように構成することができる。図５Ｂに示すように、筐体５３０も、着用者からの入力を受け取るための１つ以上のボタン５９０を含み得る。ボタン５９０は、例えば測定期間の開始のようなデータ収集システムの側面（ａｓｐｅｃｔ）を制御するための入力、又は着用者の現在の健康状態を示す入力（すなわち正常、偏頭痛、息切れ、心臓発作、発熱、「インフルエンザに似た」症状、食中毒等）を受け取るように構成することができる。
【００９５】
[00114]  図６は、１つ以上のウェアラブルデバイス６００を含むシステムの簡略化概略図である。１つ以上のウェアラブルデバイス６００は、通信インタフェース６１０を介して１つ以上の通信ネットワーク６２０上で遠隔サーバ６３０にデータを送信するように構成することができる。一実施形態では、通信インタフェース６１０は、サーバ６３０に通信を送信すると共にサーバ６３０から通信を受信するための無線送受信器を含む。別の実施形態では、通信インタフェース６１０は、有線通信及び無線通信の双方を含むデータ転送のための任意の手段を含み得る。例えば通信インタフェースは、ユニバーサルシリアルバス（ＵＳＢ）インタフェース、又はセキュアデジタル（ＳＤ）カードインタフェースを含み得る。通信ネットワーク６２０は、ＰＯＴＳ（ｐｌａｉｎ  ｏｌｄ  ｔｅｌｅｐｈｏｎｅ  ｓｅｒｖｉｃｅ）ネットワーク、セルラネットワーク、ファイバネットワーク、及びデータネットワークのいずれか１つとすることができる。サーバ６３０は、任意のタイプの遠隔コンピューティングデバイス又は遠隔クラウドコンピューティングネットワークを含み得る。更に、通信ネットワーク６２０は１つ以上の媒介物を含むことができ、例えば、ウェアラブルデバイス６００がデータを携帯電話又は他のパーソナルコンピューティングデバイスに送信し、これが次いでデータをサーバ６３０に送信する場合を含む。
【００９６】
[00115]  収集された生理学的パラメータデータ、ユーザによって入力された健康状態に関するデータ、及び／又はウェアラブルデバイス６００に配置されたセンサを用いて検出された着用者の１つ以上の特性等、ウェアラブルデバイス６００からの通信を受信することに加えて、サーバは、ウェアラブルデバイス６００から又は他の何らかのソースから、着用者の全医療履歴に関する情報、環境要因、及び地理データを収集及び／又は受信するように構成することができる。例えば、サーバ上で、全ての着用者のために、着用者の医療履歴を含むユーザアカウントを確立することができる。更に、いくつかの例では、サーバ６３０は、例えば疾病管理センター（ＣＤＣ：Ｃｅｎｔｅｒｓ  ｆｏｒ  Ｄｉｓｅａｓｅ  Ｃｏｎｔｒｏｌ）からのウイルス性疾患又は食中毒発生データや米国気象局（ＮＷＳ：Ｎａｔｉｏｎａｌ  Ｗｅａｔｈｅｒ  Ｓｅｒｖｉｃｅ）からの天気、汚染、及びアレルギデータ等、環境データのソースから情報を定期的に受信するように構成することができる。更に、サーバは、病院又は医師から着用者の健康状態に関するデータを受信するように構成することも可能である。そのような情報は、相関性の認識のようなサーバの意思決定プロセスにおいて、及び臨床プロトコルの生成において用いることができる。
【００９７】
[00116]  更にサーバは、各測定期間中に、日付、時刻、及びデバイスの各着用者の地理的ロケーションを収集及び／又は受信するように構成することができる。そのような情報を用いて、病気の空間的及び時間的な拡大を検出し監視することができる。このため、ウェアラブルデバイスは、それ自身のロケーションの指示を決定及び／又は提供するように構成することができる。例えばウェアラブルデバイスは、サーバへの通信にＧＰＳロケーション情報（例えばＧＰＳ座標）を含むことができるようにＧＰＳシステムを含み得る。別の例では、ウェアラブルデバイスは、そのロケーションを決定するために三角測量（例えばセルラネットワーク内の基地局間で）を伴う技法を使用可能である。他のロケーション決定技法も可能である。
【００９８】
[00117]  また、サーバは、デバイスの着用者が受信した薬品又は他の治療に関する情報に基づいて、更に、少なくとも部分的に生理学的パラメータデータ及び指示されたユーザの健康状態に基づいて、その薬品又は他の治療の効能に関する決定を行うように構成することができる。この情報から、サーバは、薬品又は治療の有効性の指示を導き出すように構成することができる。例えば、ある薬品が吐き気を治療することを目的とし、デバイスの着用者がその薬品による治療過程の開始後に吐き気を経験していることを表明しない場合、サーバはこの薬品が着用者に有効であることの指示を導き出すように構成することができる。別の例では、ウェアラブルデバイスは血糖を測定するように構成することができる。着用者に糖尿病治療を目的とする薬品が処方されたが、着用者の血糖が特定数の測定期間にわたって上昇していることを示すデータをウェアラブルデバイスから受信した場合、サーバは、その薬品がこの着用者にとって意図する目的のためには有効でないという指示を導き出すように構成することができる。
【００９９】
[00118]  更に、このシステムのいくつかの実施形態は、デバイスの着用者によって自動的に実施又は制御され得るプライバシ制御を含み得る。例えば、収集された着用者の生理学的パラメータデータ及び健康状態データが、臨床医による傾向分析のためにクラウドコンピューティングネットワークにアップロードされた場合、このデータを記憶又は使用する前に１つ以上の方法で処理して、個人を特定できる情報を除去することができる。例えばユーザのアイデンティティは、そのユーザについて個人を特定できる情報が決定できないように処理することができる。又は、ロケーション情報が得られる場合、ユーザの具体的なロケーションが決定できないように、ユーザの地理的ロケーションを（市、郵便番号、又は州レベル等まで）一般化することができる。
【０１００】
[00119]  これに加えて又はこの代わりに、着用者についての情報（例えばユーザの医療履歴、社会的な行動又は活動、職業、ユーザの好み、又はユーザの現在のロケーションに関する情報）をデバイスが収集するか否か、もしくはどのように収集するかを制御する機会、又はそのような情報をどのように使用可能とするかを制御する機会をデバイスの着用者に与えることも可能である。これによって着用者は、彼又は彼女に関する情報がどのように収集されるか、及び臨床医又は医師又はデータの他のユーザによってどのように使用されるかを制御することができる。例えば着用者は、彼又は彼女のデバイスから収集された健康状態及び生理学的パラメータ等のデータを、彼又は彼女自身のデータの収集及び比較に応じて個人ベースライン及び助言を発生させるためにだけ使用可能とすること、更に、母集団ベースラインの発生又は母集団相関研究用には使用しないことを選択し得る。
【０１０１】
[00120]  図７は、例示的な実施形態に従ったデバイス７００のコンポーネントを示す簡略化ブロック図である。デバイス７００は、図１Ａ〜図１Ｈ、図２Ａ〜図２Ｂ、図３Ａ〜図３Ｄ、図４、及び図５Ａ〜図５Ｂに示すウェアラブルデバイス１００ａ、１００ｂ、１００ｃ、１００ｄ、１００ｅ、１００ｆ、１００ｇ、１００ｈ、２００、３００、４００、５００のうち１つ形態をとることができ、又はそれと同様とすることができる。しかしながらデバイス７００は、足首装着デバイス、腰部装着デバイス、又は胸部装着デバイス等の他の形態をとることも可能である。また、デバイス７００は、身体に装着されるように構成されていないデバイスの形態もとり得る。例えばデバイス７００は、デバイス７００のユーザもしくはオペレータによって、又はフレームもしくは他の支持構造によって、対象となる環境（例えば身体部位、生物学的サンプル容器、水処理システムの体積）に近接して維持されるように構成されたハンドヘルドデバイスの形態をとり得る。デバイス７００は他の形態をとってもよい。
【０１０２】
[00121]  具体的には、図７はデバイス７００の一例を示し、これは、２つの光検出器７１２、７１４とセンサ７１６を含むデータ収集システム７１０、アクチュエータ７５０、ユーザインタフェース７２０、データを遠隔サーバに送信するための通信インタフェース７３０、プロセッサ７４０、及びコンピュータ読み取り可能記憶媒体７６０を含む。デバイス７００のコンポーネントは、例えば表面下血管系の一部又は他の解剖学的要素（すなわちターゲット）が容易に観察できる外部体表面にデバイスを装着するためのマウント又は他の何らかの構造上に配置されて、対象となる環境（例えばデバイス７００の着用者の身体）の１つ以上特性の安定した検出、及び／又は対象となる環境内のターゲットの位置合わせの検出を可能とする。
【０１０３】
[00122]  プロセッサ７４０は、汎用プロセッサ又は特殊用途プロセッサ（例えばデジタル信号プロセッサ、特定用途向け集積回路等）とすればよい。１つ以上のプロセッサ７４０は、コンピュータ読み取り可能媒体７６０に記憶された、本明細書に記載されるデバイス７００の機能性を提供するために実行可能なコンピュータ読み取り可能プログラム命令７７０を実行するように構成することができる。
【０１０４】
[00123]  コンピュータ読み取り可能媒体７６０は、少なくとも１つのプロセッサ７４０による読み取り又はアクセスが可能な１つ以上の非一時的（ｎｏｎ−ｔｒａｎｓｉｔｏｒｙ）コンピュータ読み取り可能記憶媒体を含むか又はこの形態をとることができる。１つ以上のコンピュータ読み取り可能記憶媒体は、光、磁気、有機、又は他のメモリ又はディスク記憶等、揮発性及び／又は不揮発性の記憶コンポーネントを含むことができ、これらを１つ以上のプロセッサ７４０の少なくとも１つと全体的に又は部分的に統合することができる。いくつかの実施形態では、コンピュータ読み取り可能媒体７６０は、単一の物理デバイス（例えば１つの光、磁気、有機、又は他のメモリ又はディスク記憶ユニット）を用いて実施可能であり、他の実施形態では、コンピュータ読み取り可能媒体７６０は、２つ以上の物理デバイスを用いて実施可能である。
【０１０５】
[00124]  光検出器７１２、７１４は、デバイス７００の１つ以上のコンポーネント（例えば光検出器７１２、７１４、センサ７１６）に対するターゲット（例えば表面下血管系の一部）の位置、向き、位置合わせ、及び／又は配置に関する他の何らかの情報を検出するように構成された任意の光検出コンポーネントを含み得る。センサ７１６は、センサ７１６に近接した環境（例えば表面下血管系の一部）の１つ以上の特性及び／又は近接した環境から受信されたエネルギ又は物質を検出するように構成された１つ以上のコンポーネントを含み得る。上述のように、光検出器７１２、７１４及びセンサ７１６は、デバイスによって解析されるターゲット及び／又は環境（例えば着用者の身体又はそのサブセクション）の位置合わせ及び／又は何らかの他の特性に関連した任意の特性を含み得る少なくとも１つの特性を検出できる任意の１つ又は複数のコンポーネントを含み得る。例えばセンサ７１６は、血圧、脈拍数、皮膚温度等を測定するように構成することができる。いくつかの例では、光検出器７１２、７１４及び／又はセンサ７１６は、光（例えばＣＭＯＳ、ＣＣＤ、フォトダイオード）センサ、音響（例えば圧電、圧電セラミック）センサ、電気化学（電圧、インピーダンス）センサ、熱センサ、機械（例えば圧力、歪み）センサ、磁気センサ、又は電磁（例えば磁気共鳴）センサの１つ以上を含み得る。光検出器７１２、７１４及び／又はセンサ７１６が光センサを含む例では、光センサは、フォトダイオード、光電子増倍管、ＣＣＤ、光電池、光伝導要素（ｐｈｏｔｏｒｅｓｉｓｔｉｖｅ  ｅｌｅｍｅｎｔ）、カメラ、又は、ターゲット及び／又はターゲットを含む環境から受信した光の１つ以上の特性を検出するように構成された他の任意の１つ以上のセンサを含む。
【０１０６】
[00125]  光検出器７１２、７１４及び／又はセンサ７１６は、更に、環境を照明及び／又は貫通して、ターゲット及び／又はターゲットを含む環境の上部又は内部にある対象の１つ以上の要素を照明するか、励起するか、又は他の方法で影響を及ぼすことができる照明又は他のエネルギを伝送するための光源又は他のエネルギ源を含み得る。伝送される照明の波長は、着用者の生物学的組織を貫通するように規定することができる。例えば、伝送される照明は、生物学的組織の近赤外線（ＮＩＲ）透過ウィンドウ内の波長を有し得る。送信される照明の波長は、フルオロフォア、発色団、又は他の対象の要素による蛍光発光及び／又は光の放出を引き起こす波長に規定され得る。光検出器７１２、７１４及び／又はセンサ７１６のエネルギ放出器は、光検出器７１２、７１４及び／又はセンサ７１６に近接した環境に向けて他の形態のエネルギを生成し、その結果、光検出器７１２、７１４及び／又はセンサ７１６に近接した他の化学物質、造影剤、生物学的要素、又は他の被検物質によって、光又は他のエネルギもしくは物質の放出、反射、散乱、又は他の何らかの発生が生じるように構成することができる。
【０１０７】
[00126]  これに加えて又はこの代わりに、データ収集システム７１０が２つ以上の光放出器及び１つ以上の光検出器を含み、これらが本明細書に記載されるように光検出器及び／又は光放出器に対するターゲットの位置合わせを検出するように構成されることも可能である。そのようなデータ収集システム７１０は更に、ターゲット及び／又は着用者の身体の１つ以上の特性（例えば被検物質の濃度、酸素飽和）を検出するように構成することができる。
【０１０８】
[00127]  アクチュエータ７５０は、データ収集システム７１０及び／又はデータ収集システム７１０の個々の要素（例えば７１２、７１４、７１６）の位置を制御するように構成された任意の電気及び／又は機械デバイスとすることができる。アクチュエータ７５０は、サーボ、圧電要素、ソレノイド、モータ、又は他の力変換要素を含み得る。
【０１０９】
[00128]  コンピュータ読み取り可能媒体７６０上に記憶されたプログラム命令７７０は、本明細書に記載される方法の任意のものを実行ための命令を含み得る。例えば説明する実施形態では、プログラム命令７７０は、コントローラモジュール７７２、計算及び決定モジュール７７４、及び警告モジュール７７６を含む。
【０１１０】
[00129]  コントローラモジュール７７２は、光検出器７１２、７１４及び／又はセンサ７１６を動作させるための命令を含むことができる。例えばコントローラ７７２は、予め設定された各測定期間セット中に光検出器７１２、７１４及び／又はセンサ７１６の光源及び／又は光センサを動作させ得る。コントローラモジュール７７２は更に、データ収集システム７１０及び／又はデータ収集システム７１０の個々の要素（例えば７１２、７１４、７１６）の位置を制御するようにアクチュエータ７５０を動作させるための命令も含むことができる。例えばコントローラモジュール７７２は、データ収集システム７１０の１つ以上の要素がターゲットと位置合わせされるように、データ収集システム７１０の１つ以上の要素の位置を制御するようアクチュエータ７５０を動作させるための命令を含み得る。アクチュエータ７５０のこの動作は、光検出器７１２、７１４によって検出されるようなターゲットに対するデータ収集システム７１０の１つ以上の要素の位置合わせに応答して実行され得る。
【０１１１】
[00130]  コントローラモジュール７７２は、ユーザインタフェース７２０を動作させるための命令も含むことができる。例えばコントローラモジュール７７２は、データ収集システム７１０によって収集されて計算及び決定モジュール７７４によって解析されるデータを表示するため、又は警告モジュール７７６によって発生される１つ以上の警告を表示するための命令を含み得る。更に、コントローラモジュール７７２は、ユーザがデバイスの位置及び／又は構成を調整してデバイス７００の１つ以上の要素をターゲットと位置合わせできるように、デバイス７００の１つ以上の要素の検出された位置合わせに関するデータを表示するための命令を含み得る。更に、コントローラモジュール７７２は、例えばユーザインタフェース上に配置された１つ以上のボタンによって受け取られる入力等、ユーザインタフェース７２０によって受け取られる入力に基づいて特定の機能を実行するための命令を含むことができる。
【０１１２】
[00131]  通信プラットフォーム７３０は、例えばデバイス７００上又はその内部に配され得る無線アンテナを介して情報を送信及び／又は受信するための命令等、コントローラモジュール７７２内の命令によって動作することができる。通信インタフェース７３０は、任意選択的に、アンテナによって送信及び／又は受信される搬送周波数上で情報を変調及び／又は復調するための１つ以上の発振器、ミキサ、周波数注入器（ｆｒｅｑｕｅｎｃｙ  ｉｎｊｅｃｔｏｒ）等を含むことができる。いくつかの例では、デバイス７００は、遠隔サーバ又は他の遠隔コンピューティングデバイスによって知覚できる方法でアンテナのインピーダンスを変調することによってプロセッサからの出力を示すように構成されている。
【０１１３】
[00132]  計算及び決定モジュール７７４は、光検出器７１２、７１４及び／又はセンサ７１６からデータを受信するため、データの解析により、ターゲット及び／又はターゲットを含む環境の（例えばデバイス７００の着用者の身体の）、ターゲット被検物質の濃度等、１つ以上の特性（例えばデバイス７００の１つ以上のコンポーネントに対するターゲットの位置合わせ）を決定するため、データの解析により、医学的な症状又は他の規定の状態、又はデバイス７００に近接した環境に関する他の解析的なプロセスが示されるか否かを判定するための命令を含み得る。具体的には、計算及び決定モジュール７７４は、予め設定された各測定時に、光検出器７１２、７１４、及び／又はセンサ７１６を用いて検出された情報に基づいて臨床的に関連する被検物質の存在、濃度、及び／又は他の特性を決定すると共に、臨床的に関連する被検物質の少なくとも対応する存在、濃度、及び／又は他の特性に基づいて医学的な症状が示されるか否かを判定するための命令を含み得る。これらの命令は、予め設定された各測定時セットに行うことができる。
【０１１４】
[00133]  計算及び決定モジュール７７４のプログラム命令は、いくつかの例では、コンピュータ読み取り可能媒体に記憶され、デバイス７００の外部に配置されたプロセッサによって実行され得る。例えばデバイス７００は、ユーザから生理学的パラメータに関する特定のデータを収集し、次いでそのデータを遠隔サーバに送信するように構成することができる。遠隔サーバは、更に処理を行うため、モバイルデバイス、パーソナルコンピュータ、クラウド、又は他の任意の遠隔システムを含み得る。
【０１１５】
[00134]  コンピュータ読み取り可能媒体７６０は更に、デバイス７００のユーザの医療履歴又は健康履歴のような、医学的な症状又は他の何らかの規定の状態が示されるか否かを判定する際に有用となり得る他のデータ又は情報を含み得る。更に、コンピュータ読み取り可能媒体７６０は、それより高いか又は低いと医学的な症状が示される特定の生理学的パラメータベースラインに対応するデータを含み得る。ベースラインは、コンピュータ読み取り可能媒体７６０に予め記憶するか、遠隔サーバ等の遠隔ソースから送信するか、又は計算及び決定モジュール７７４自体によって発生させることができる。計算及び決定モジュール７７４は、特定数の測定期間にわたって収集されたデータに基づいてデバイス７００のユーザの個別のベースラインを発生させるための命令を含み得る。また、ベースラインは、遠隔サーバによって発生させ、通信インタフェース７３０を介してデバイス７００に送信してもよい。計算及び決定モジュール７７４は、医学的な症状又は他の緊急状態が示されたと判定した時、少なくとも部分的に臨床プロトコルの参照に基づいて、デバイス７００のユーザに１つ以上の助言を発生することができる。あるいは、そのような助言は、遠隔サーバによって発生させ、デバイス７００に送信してもよい。
【０１１６】
[00135]  いくつかの例では、収集された生理学的パラメータデータ、ベースラインプロファイル、デバイスユーザによって入力された健康状態情報、並びに発生された助言及び臨床プロトコルは、更に、クラウドネットワークに入力されて、ユーザの医師によるダウンロードを可能とすることができる。また、傾向分析及び他の分析を、クラウドコンピューティングネットワーク内の生理学的パラメータデータ及び健康状態情報等の収集されたデータに実行し、医師又は臨床医によるダウンロードを可能とすることも可能である。
【０１１７】
[00136]  更に、デバイスユーザの個人又は母集団からの生理学的パラメータ及び健康状態データは、医師又は臨床医によって、薬品又は他の治療の効能を監視する際に用いることができる。例えば、開発中の薬品又は療法の安全性及び効能を査定するための臨床研究に参加しているデバイスユーザの母集団から、高密度のリアルタイムデータを収集することができる。そのようなデータは、個人レベルで使用して、薬品又は療法に対する特定の着用者の反応を査定することも可能である。このデータに基づき、医師又は臨床医は、個人のニーズに合わせて薬物治療を調整することができる。
【０１１８】
[00137]  計算及び決定モジュール７７４による、医学的な状態又は他の規定の状態が示されるという判定に応答して、警告モジュール７７６はユーザインタフェース７２０を介して警告を発生させることができる。警告は、ディスプレイに表示されるテキスト又はグラフィック情報等の視覚成分、聴覚成分（例えばアラーム音）、及び／又は触覚成分（例えば振動）を含み得る。テキスト情報は、デバイスのユーザが医療専門家に連絡すること、治療を求めること、又は薬物を投与することの助言等、１つ以上の助言を含み得る。
【０１１９】
ＩＩＩ．例示的な方法
[00138]  図８は、ウェアラブルデバイスを動作させるための方法８００のフローチャートである。動作されたウェアラブルデバイスは、（ｉ）少なくとも光放出器、（ｉｉ）少なくとも１つの光検出器、（ｉｉｉ）ターゲットに近接した外部体表面に少なくとも１つの光放出器及び少なくとも１つの光検出器を装着するように構成されたマウント、及び（ｉｖ）少なくとも１つの光放出器及び少なくとも１つの光検出器を動作させるように構成されたコントローラ、を含む。
【０１２０】
[00139]  方法８００は、マウントを用いて外部体表面にウェアラブルデバイスを装着することを含む（８１０）。いくつかの例では、少なくとも１つの光放出器及び少なくとも１つの光検出器が、着用者の手首に近接した及び／又は手首の内部のターゲット（例えば表面下血管系の一部）の位置合わせを検出するよう動作され得るように、ウェアラブルデバイスを着用者の手首に装着するように構成することができる（例えば図１Ａ〜図１Ｈ、図２Ａ〜図２Ｂ、図３Ａ〜図３Ｄ、図４、及び図５Ａ〜図５Ｂに示す実施形態）。いくつかの例では、マウントは接着剤を含み、ウェアラブルデバイスを外部体表面に装着すること（８１０）は、接着剤を活性化すること、塗布すること、及び／又は露出させること、並びにウェアラブルデバイスを外部体表面に接着することを含む。
【０１２１】
[00140]  方法８００は、コントローラによって、ターゲットに対する少なくとも１つの光放出器及び少なくとも１つの光検出器の位置合わせを検出することを含む（８２０）。いくつかの実施形態では、ターゲットに対する少なくとも１つの光放出器及び少なくとも１つの光検出器の位置合わせを検出すること（８２０）は、ターゲットの位置、向き、又はその配置に関する他の何らかの情報を検出するように、少なくとも１つの光放出器及び少なくとも１つの光検出器を動作させることを含み得る。いくつかの実施形態では、ウェアラブルデバイスの少なくとも１つの光放出器、少なくとも１つの光検出器、及び／又は他のコンポーネントに対するターゲットの位置は、ターゲットをウェアラブルデバイスの要素（複数の要素）に対して位置合わせするように規定された１つ以上の位置のうち１つとすることができる。従って、少なくとも１つの光放出器及び少なくとも１つの光検出器は、ターゲットに関する位置、向き、又は他の何らかの情報を検出するため上述のように動作させることができ、そのような検出情報に基づいて、ターゲットが位置合わせされているという判定を行うことができる。これに加えて又はこの代わりに、少なくとも１つの光放出器及び少なくとも１つの光検出器は、ターゲットの位置合わせに関する何らかのカテゴリ情報及び／又は定性的情報を検出するように構成することができる。例えば、少なくとも１つの光放出器及び少なくとも１つの光検出器は、ターゲットの位置合わせが離散的状態セットのうち１つに対応すること、例えば「位置合わせされている」、「ほぼ位置合わせされている」、「位置合わせされていない」、「少なくとも１つの光検出器の第２の光検出器の方向に位置合わせされていない」、「少なくとも１つの光放出器の第２及び第３の光放出器間で位置合わせされていない」等に対応することを検出するように構成され得る。すなわち、いくつかの例では、ウェアラブルデバイスのコンポーネント（複数のコンポーネント）に対するターゲットの配置は、位置合わせされていない場合があり、ターゲットに対する少なくとも１つの光放出器及び少なくとも１つの光検出器の位置合わせを検出すること（８２０）は、そのような決定を行うことを含み得る。ターゲットに対する少なくとも１つの光放出器及び少なくとも１つの光検出器の位置合わせを検出すること（８２０）は、追加の又は代替的な要素及び／又はステップを含み得る。
【０１２２】
[00141]  ウェアラブルデバイスを動作させるための方法８００は、ターゲットの検出された位置合わせ及び／又はウェアラブルデバイスの他の機能に関する追加ステップを含むことができる。いくつかの例では、ウェアラブルデバイスは、ターゲットが少なくとも１つの光放出器、少なくとも１つの光検出器、及び／又は別のセンサに対して位置合わせされた場合にターゲットの特性を検出するように構成された別のセンサを含むことができ、方法８００は、この別のセンサを用いてターゲットの特性を検出することを含み得る。これに加えて又はこの代わりに、少なくとも１つの光検出器の１つ以上の光検出器は、ターゲットがこの１つ以上の光検出器に対して位置合わせされた場合にターゲットの特性を検出するように構成することができ、方法８００は、この１つ以上の光検出器を用いてターゲットの特性を検出することを含み得る。これは、少なくとも１つの光放出器及び少なくとも１つの光検出器の位置合わせの検出に応答して、少なくとも１つの光放出器によって放出された光に応答してターゲットから放出された光を、少なくとも１つの光検出器を用いて検出することを含み得る。更に、少なくとも２つの光検出器の１つ以上及び／又は別のセンサは、エネルギ放出器を含むことができ、ターゲットの位置合わせ又は他の何らかの特性を検出するように少なくとも２つの光検出器及び／又は別のセンサを動作させることは、何らかのエネルギ（例えば可視光、赤外光、紫外光、電磁界、熱）を放出するようにエネルギ放出器を動作させることを含み得る。
【０１２３】
[00142]  いくつかの例では、ウェアラブルデバイスは、少なくとも１つの光放出器及び少なくとも１つの光検出器とターゲットとの位置合わせを直接に又は間接的に実施するための手段を含み得る。いくつかの例では、これは、ターゲットに対する少なくとも１つの光放出器及び少なくとも１つの光検出器の位置を制御するように構成されたアクチュエータを含むウェアラブルデバイスを含み得る。そのような例では、方法８００は更に、１つ以上の時点での少なくとも１つの光放出器及び少なくとも１つの光検出器に対するターゲットの検出された位置合わせに対して、少なくとも１つの光放出器及び少なくとも１つの光検出器とターゲットとを位置合わせするようにアクチュエータを動作させることを含み得る。いくつかの例では、これは、少なくとも１つの光放出器及び少なくとも１つの光検出器に対するターゲットの検出された位置合わせに関する何らかの情報を伝達するように構成されたインジケータ（例えばディスプレイ、バイブレータ、スピーカ、ブザー、電子−触覚刺激装置（ｅｌｅｃｔｒｏ−ｈａｐｔｉｃ  ｓｔｉｍｕｌａｔｏｒ）を含むウェアラブルデバイスを含み得る。そのような例では、方法８００は更に、ウェアラブルデバイスのユーザ（例えば着用者）がウェアラブルデバイスの少なくとも１つの光放出器、少なくとも１つの光検出器、及び／又は他の要素の位置を調整して、ターゲットに対する少なくとも１つの光放出器及び少なくとも１つの光検出器の位置合わせを可能とするように、インジケータを用いて、少なくとも１つの光放出器及び少なくとも１つの光検出器を用いて検出された情報を示すことを含み得る。
【０１２４】
[00143]  図８に示す例示的な方法８００は、例示的で非限定的な例であることが意図される。当業者に明らかであるような、この方法の追加の又は代替的な要素、及びウェアラブルデバイスの追加の又は代替的なコンポーネントも想定される。
【０１２５】
結論
[00144]  例示的な実施形態が、人又は人のデバイスに関する情報を伴う場合、それらの実施形態はプライバシ制御を含むことを理解するべきである。そのようなプライバシ制御は少なくとも、デバイス識別子の匿名化、透明性、及びユーザ制御を含み、ユーザがユーザの製品使用に関する情報を変更又は削除することを可能とする機能性を含む。
【０１２６】
[00145]  更に、本明細書で検討される実施形態がユーザに関する個人情報を収集する場合、又は個人情報を利用し得る場合は、プログラム又は特徴（ｆｅａｔｕｒｅｓ）がユーザ情報（例えばユーザの医療履歴、社会的ネットワーク、社会的な行動又は活動、職業、ユーザの好み、又はユーザの現在のロケーションに関する情報）を収集するか否かを制御する機会、又はよりユーザと関連の深いコンテンツサーバからのコンテンツを受信するか否か、及び／又はどのように受信するかを制御する機会を、ユーザに与えることができる。更に、ある特定のデータは、記憶又は使用する前に１つ以上の方法で処理して、個人を特定できる情報を除去することができる。例えばユーザのアイデンティティは、そのユーザについて個人を特定できる情報が決定できないように処理することができる。又は、ロケーション情報が得られる場合、ユーザの具体的なロケーションが決定できないように、ユーザの地理的ロケーションを（市、郵便番号、又は州レベル等まで）一般化することができる。従ってユーザは、どのようにユーザに関する情報が収集され、コンテンツサーバによって使用されるかを制御することができる。
【０１２７】
[00146]  図に示す特定の構成は限定として見るべきではない。他の実施形態が、多かれ少なかれ、所与の図に示す各要素を含み得ることは理解されよう。更に、説明した要素のいくつかは組み合わせるか又は省略することも可能である。また、例示的な実施形態は、図に示していない要素を含むこともある。
【０１２８】
[00147]  更に、様々な態様及び実施形態を本明細書に開示したが、他の態様及び実施形態も当業者には明らかであろう。本明細書に開示した様々な態様及び実施形態は、説明の目的のために与えられ、限定を意図しておらず、真の範囲は以下の特許請求の範囲によって示される。本明細書に提示される主題の精神又は範囲から逸脱することなく、他の実施形態を利用でき、他の変更を実施できる。本明細書におおまかに記載し、図に示したような本開示の態様は、多種多様な異なる構成で配置、置換、結合、分離、及び設計することができ、それらは全て本明細書において想定される。
【図１Ａ】
0006496754.tif 000002
【図１Ｂ】
0006496754.tif 000003
【図１Ｃ】
0006496754.tif 000004
【図１Ｄ】
0006496754.tif 000005
【図１Ｅ】
0006496754.tif 000006
【図１Ｆ】
0006496754.tif 000007
【図１Ｇ】
0006496754.tif 000008
【図１Ｈ】
0006496754.tif 000009
【図２Ａ】
0006496754.tif 000010
【図２Ｂ】
0006496754.tif 000011
【図３Ａ】
0006496754.tif 000012
【図３Ｂ】
0006496754.tif 000013
【図３Ｃ】
0006496754.tif 000014
【図３Ｄ】
0006496754.tif 000015
【図４】
0006496754.tif 000016
【図５Ａ】
0006496754.tif 000017
【図５Ｂ】
0006496754.tif 000018
【図６】
0006496754.tif 000019
【図７】
0006496754.tif 000020
【図８】
0006496754.tif 000021